(57)【特許請求の範囲】
【請求項１】
原稿を読み取るための照明光を原稿に照射する読取用光源と、
特定波長光の照射により消色する消色印刷剤を消色させる該特定波長光を原稿に照射する消去用光源と、
前記読取用光源により照明光が照射された原稿からの反射光を受光して原稿を読み取る読取部と、
前記読取部により読み取られた原稿の読取画像を出力する出力部と、
原稿に前記読取用光源により照明光を照射して前記読取部により第１読取画像を読み取り、該第１読取画像を読み取った前記原稿の領域に前記消去用光源により特定波長光を照射し、該特定波長光の照射により前記消色印刷剤であれば消色されている該領域に前記読取用光源により照明光を照射して前記読取部により一部の領域毎に第２読取画像を読み取り、前記第１読取画像と前記第２読取画像とを比較し、該比較結果に基づいて、前記原稿の画像に前記消色印刷剤が使用されているか否かを判断し、該判断結果に応じて、前記読取部による前記第２読取画像の読取動作を停止する制御部と、
を備えた画像処理装置。
【請求項２】
原稿を読み取るための照明光を原稿に照射する読取用光源と、
特定波長光の照射により消色する消色印刷剤を消色させる該特定波長光を原稿に照射する消去用光源と、
前記読取用光源により照明光が照射された原稿からの反射光を受光して原稿を読み取る読取部と、
前記読取部により読み取られた原稿の読取画像を出力する出力部と、
原稿に前記読取用光源により照明光を照射して前記読取部により第１読取画像を読み取り、該第１読取画像を読み取った前記原稿の領域に前記消去用光源により特定波長光を照射し、該特定波長光の照射により前記消色印刷剤であれば消色されている該領域に前記読取用光源により照明光を照射して前記読取部により第２読取画像を読み取り、前記第１読取画像と前記第２読取画像とを比較し、該比較結果に基づいて、前記原稿の画像に前記消色印刷剤が使用されているか否かを判断し、該判断結果に応じて、前記原稿の読取画像の出力を禁止する、前記原稿の読取画像の少なくとも一部に前記消色印刷剤が使用されるように出力する、又は前記消色印刷剤が使用されていることを示す情報と関連付けて出力する制御部と、
を備えた画像処理装置。
【請求項３】
前記読取部は、前記第２読取画像を一部の領域毎に読み取り、
前記制御部は、前記原稿の画像に前記消色印刷剤が使用されているか否かの判断結果に応じて、前記読取部による前記第２読取画像の読取動作を停止する
ことを特徴とする請求項２に記載の画像処理装置。
【請求項４】
前記読取部は、所定サイズの読取範囲で原稿を一部領域毎に読み取り、
前記読取用光源と前記消去用光源とは、前記読取範囲へ向けて光照射し、
当該画像処理装置は、前記読取範囲および該読取範囲へ向けて光照射する前記読取用光源および前記消去用光源と、原稿とを相対移動させる移動部とを備え、
前記制御部は、前記読取部の前記読取範囲に位置する原稿に前記読取用光源により照明光を照射して前記読取部により前記原稿の一部領域の第１読取画像を読み取り、該一部領域に前記消去用光源により特定波長光を照射し、該特定波長光の照射により前記消色印刷剤であれば消色されている該一部領域に前記読取用光源により照明光を照射して前記読取部により該一部領域の第２読取画像を読み取る
ことを特徴とする請求項１〜３のいずれか１項に記載の画像処理装置。
【請求項５】
前記制御部は、前記原稿の前記読取部による前第１読取画像及び前記第２読取画像の読取動作中に該原稿の画像に前記消色印刷剤が使用されていると判断した場合は、前記読取部による前第１読取画像及び前記第２読取画像の読取動作を停止する
ことを特徴とする請求項４に記載の画像処理装置。
【請求項６】
前記制御部は、前記原稿の前記読取部による前第１読取画像及び前記第２読取画像の読取動作中に該原稿の画像に前記消色印刷剤が使用されていると判断した場合は、前記読取部による前記第２読取画像の読取動作を停止し、前記読取部による前記第１読取画像の読取動作と前記消去用光源による特定波長光の照射とを継続して完了させる
ことを特徴とする請求項１、３または４に記載の画像処理装置。
【請求項７】
前記制御部は、前記原稿の前記読取部による前第１読取画像及び前記第２読取画像の読取動作中に該原稿の画像に前記消色印刷剤が使用されていると判断した場合、または、前記消色印刷剤が使用されていないと判断した場合は、前記消去用光源による特定波長光の照射と前記読取部による前記第２読取画像の読取動作とを停止し、前記読取部による前記第１読取画像の読取動作を継続して完了させる
ことを特徴とする請求項１、３または４に記載の画像処理装置。
【請求項８】
前記制御部は、前記原稿の画像に前記消色印刷剤が使用されていると判断した場合に、出力を禁止する
ことを特徴とする請求項１〜５のいずれか１項に記載の画像処理装置。
【請求項９】
前記制御部は、前記原稿の画像に前記消色印刷剤が使用されていると判断した場合は、前記消色印刷剤を使用して記録紙に該読取画像を印刷する
ことを特徴とする請求項１〜４、６のいずれか１項に記載の画像処理装置。
【請求項１０】
前記制御部は、前記原稿の画像に前記消色印刷剤が使用されていないと判断した場合は、前記特定波長光の照射により消色しない非消色印刷剤を使用して記録紙に該読取画像を印刷する
ことを特徴とする請求項１〜４、７、９のいずれか１項に記載の画像処理装置。
【請求項１１】
前記制御部は、前記第１読取画像と前記第２読取画像とが異なり、かつ、前記第１読取画像と前記第２読取画像とに一致する同領域と一致しない異領域とが存在する場合は、前記原稿における前記同領域に対応する画像領域には前記消色印刷剤が使用されていないと判断し、前記異領域に対応する画像領域には前記消色印刷剤が使用されていると判断する
ことを特徴とする請求項１〜１０のいずれか１項に記載の画像処理装置。
【請求項１２】
前記制御部は、前記第１読取画像と前記第２読取画像とが異なり、かつ、前記第１読取画像と前記第２読取画像とに一致する同領域と一致しない異領域とが存在する場合は、少なくとも前記異領域は前記消色印刷剤を使用して印刷する
ことを特徴とする請求項１〜４、７、９〜１１のいずれか１項に記載の画像処理装置。
【請求項１３】
前記制御部は、前記同領域は前記特定波長光の照射により消色しない非消色印刷剤を使用して印刷する
ことを特徴とする請求項１１または１２に記載の画像処理装置。
【請求項１４】
前記制御部は、前記原稿の画像に前記消色印刷剤が使用されていると判断した場合は、少なくとも前記異領域は前記消色印刷剤を使用し、印刷部数を１部にする
ことを特徴とする請求項１１〜１３のいずれか１項に記載の画像処理装置。
【請求項１５】
前記制御部は、前記原稿の画像に前記消色印刷剤が使用されていると判断した場合は、前記読取部による、前記第１読取画像及び前記第２読取画像の読取動作が完了してから印刷を実行する
ことを特徴とする請求項９〜１４のいずれか１項に記載の画像処理装置。
【請求項１６】
前記制御部は、前記原稿の画像に前記消色印刷剤が使用されていると判断した場合は、前記記録紙の上縁部と下縁部のうちの少なくとも一方に前記消色印刷剤を使用してダミー画像を印刷する
ことを特徴とする請求項９〜１５のいずれか１項に記載の画像処理装置。
【請求項１７】
前記印刷を実行するときに使用する前記消色印刷剤の残量を検知する検知部を備え、
前記制御部は、前記検知部により前記消色印刷剤の残量が所定量以下であることが検知された場合は、印刷の実行を禁止する
ことを特徴とする請求項９〜１６のいずれか１項に記載の画像処理装置。
【請求項１８】
前記出力は、前記読取画像を外部装置に転送する転送を含み、
前記制御部は、前記消色印刷剤が使用されていると判断した原稿の読取画像を外部装置に転送する場合は、前記消色印刷剤を使用して記録紙に該読取画像を印刷する動作を実行可能な外部装置への転送のみを許可する
ことを特徴とする請求項９〜１７のいずれか１項に記載の画像処理装置。
【請求項１９】
前記制御部は、前記消色印刷剤が使用されていると判断した原稿の読取画像を当該画像処理装置内に保存する場合は、該読取画像の読み取り元の原稿の画像に消色印刷剤が使用されていることを示す情報を該読取画像に関連付けて保存し、前記情報が関連付けられて保存されている読取画像を出力する場合は、前記消色印刷剤を使用して記録紙に該読取画像を印刷する動作のみを許可する
ことを特徴とする請求項９〜１８のいずれか１項に記載の画像処理装置。
【請求項２０】
前記制御部は、前記情報が関連付けられて保存されている読取画像を、前記消色印刷剤を使用して記録紙に該読取画像を印刷した場合は、保存されている該読取画像と該情報とを消去する
ことを特徴とする請求項１９に記載の画像処理装置。
【請求項２１】
前記制御部は、前記第１読取画像と前記第２読取画像とが異なり、かつ、前記第１読取画像と前記第２読取画像とに一致する同領域と一致しない異領域とが存在する場合は、前記異領域を所定画像に置換した前記読取画像を前記特定波長光の照射により消色しない非消色印刷剤を使用して印刷する
ことを特徴とする請求項１１に記載の画像処理装置。
【請求項２２】
印刷を実行するときに使用する前記消色印刷剤の残量を検知する検知部を備え、
前記制御部は、前記検知部により前記消色印刷剤の残量が所定量以下であることが検知された場合に、前記印刷を実行する
ことを特徴とする請求項２１に記載の画像処理装置。
【請求項２３】
前記読取部により読み取られる原稿がセットされる原稿台と、
前記原稿台にセットされた原稿を取り出し可能に保持する第１保持状態と該原稿を取り出し不能に保持する第２保持状態とに切り替え可能な保持部とを備え、
前記制御部は、前記原稿の前記読取部による第１読取画像及び前記第２読取画像の読取動作では前記保持部を前記第２保持状態に切り替え、前記読取動作を終えると前記保持部を前記第１保持状態に切り替える
ことを特徴とする請求項１〜２２のいずれか１項に記載の画像処理装置。
【請求項２４】
前記読取部により読み取られる原稿がセットされる原稿台と、
前記原稿台にセットされた原稿を取り出し可能に保持する第１保持状態と該原稿を取り出し不能に保持する第２保持状態とに切り替え可能な保持部とを備え、
前記制御部は、前記保持部を前記第１保持状態にして前記原稿の前記読取部による第１読取画像及び前記第２読取画像の読取動作を開始し、該読取動作中に前記原稿の画像に前記消色印刷剤が使用されていると判断した場合は前記保持部を前記第２保持状態に切り替え、前記読取動作を完了すると前記保持部を前記第１保持状態に切り替える
ことを特徴とする請求項１、３、４、６のいずれか１項に記載の画像処理装置。
【請求項２５】
不揮発性記憶部を備え、
前記制御部は、前記第１読取画像を前記不揮発性記憶部に保存する
ことを特徴とする請求項１〜２４のいずれか１項に記載の画像処理装置。
【請求項２６】
前記制御部は、前記第２読取画像を前記不揮発性記憶部に保存する
ことを特徴とする請求項２５に記載の画像処理装置。
【請求項２７】
揮発性記憶部を備え、
前記制御部は、前記不揮発性記憶部に保存する読取画像を、前記原稿の画像に前記消色印刷剤が使用されていると判断するまでは前記揮発性記憶部に保存しておき、前記原稿の画像に前記消色印刷剤が使用されていると判断した場合に、前記揮発性記憶部に保存しておいた読取画像を前記不揮発性記憶部に保存する
ことを特徴とする請求項２５または２６に記載の画像処理装置。
【請求項２８】
揮発性記憶部を備え、
前記制御部は、前記原稿の画像に前記消色印刷剤が使用されていないと判断した場合に、前記不揮発性記憶部に保存されている読取画像を前記揮発性記憶部に保存する
ことを特徴とする請求項２５または２６に記載の画像処理装置。
【請求項２９】
前記制御部は、前記不揮発性記憶部の空き容量を確認し、その空き容量が所定容量以下の場合は、前記読取部による第１読取画像及び前記第２読取画像の読取動作を禁止する
ことを特徴とする請求項２５〜２８のいずれか１項に記載の画像処理装置。
【請求項３０】
原稿を読み取るための照明光を原稿に照射する読取用光源と、
特定波長光の照射により消色する消色印刷剤を消色させる該特定波長光を原稿に照射する消去用光源と、
前記読取用光源により照明光が照射された原稿からの反射光を受光して原稿を読み取る読取部と、
前記読取部により読み取られた原稿の読取画像を出力する出力部と、
原稿に前記読取用光源により照明光を照射して前記読取部により第１読取画像を読み取り、該第１読取画像を読み取った前記原稿の領域に前記消去用光源により特定波長光を照射し、該特定波長光の照射により前記消色印刷剤であれば消色されている該領域に前記読取用光源により照明光を照射して前記読取部により第２読取画像を読み取り、前記第１読取画像と前記第２読取画像とに基づいて、前記原稿の画像に前記消色印刷剤が使用されているか否かを判断し、該判断結果を出力する制御部と、
を備えた画像読取装置。
【発明の詳細な説明】
【技術分野】
【０００１】
本発明は、消色可能な印刷剤を使用して印刷された原稿を判別できる画像処理装置および画像読取装置に関する。
【背景技術】
【０００２】
印刷用のトナーにおいては近赤外線を照射すると消色（無色化）する消色トナーが知られており、この消色トナーを用いて印刷を行う各種の画像処理装置が提案されている。たとえば、消色トナーを用いて原稿の複写を行う複写機や（特許文献１参照）、通常トナーおよび消色トナーを用いて画像を形成する画像形成装置などがある（特許文献２参照）。この画像形成装置では、消色トナーで印刷した用紙を再利用するために、消色トナーで印刷した用紙には所定の識別画像（マーク）を印刷し、この識別画像の有無を検知して消色トナーで印刷された用紙を判別するようにしている。
【先行技術文献】
【特許文献】
【０００３】
【特許文献１】特開平５−６９６７５号公報
【特許文献２】特開２００８−９３１２号公報
【発明の概要】
【発明が解決しようとする課題】
【０００４】
上記の消色トナーは、機密文書の印刷に使用して文書内容を消去可能とすることにより、機密情報の漏洩を防止するような使い方もある。しかし、特許文献１の複写機で、たとえば機密文書を消色トナーで複写したとしても、その消去可能な機密文書が通常トナーを使用する複写機で複写されると消去できない機密文書が複製されてしまい、情報を持ち出すことができてしまう。
【０００５】
また、特許文献２のような識別画像の有無で消色トナーの用紙を判別する技術を、消色トナーで印刷された機密文書の通常トナーによる複写防止に利用する場合でも、すなわち、識別画像を検知した場合は通常トナーによる複写を禁止するような制御を行う場合でも、識別画像を隠したり消したりすることで通常トナーによる複写ができてしまい、やはり情報漏洩を抑えることができない。
【０００６】
本発明は、上記の問題を解決しようとするものであり、消色可能な印刷剤で印刷されている原稿内の情報の漏洩を抑制することができる画像処理装置および画像読取装置を提供することを目的としている。
【課題を解決するための手段】
【０００７】
かかる目的を達成するための本発明の要旨とするところは、次の各項の発明に存する。
【０００８】
［１］原稿を読み取るための照明光を原稿に照射する読取用光源と、
特定波長光の照射により消色する消色印刷剤を消色させる該特定波長光を原稿に照射する消去用光源と、
前記読取用光源により照明光が照射された原稿からの反射光を受光して原稿を読み取る読取部と、
前記読取部により読み取られた原稿の読取画像を出力する出力部と、
原稿に前記読取用光源により照明光を照射して前記読取部により第１読取画像を読み取り、該第１読取画像を読み取った前記原稿の領域に前記消去用光源により特定波長光を照射し、該特定波長光の照射により前記消色印刷剤であれば消色されている該領域に前記読取用光源により照明光を照射して前記読取部により一部の領域毎に第２読取画像を読み取り、前記第１読取画像と前記第２読取画像とを比較し、該比較結果に基づいて、前記原稿の画像に前記消色印刷剤が使用されているか否かを判断し、該判断結果に応じて、前記読取部による前記第２読取画像の読取動作を停止する制御部と、
を備えた画像処理装置。
【０００９】
上記発明では、特定波長光の照射により消色する消色印刷剤が原稿の画像に使用されているか否かを、原稿に特定波長光を照射し画像が消色（消去）したか否か、すなわち、画像が変化したか否かで判断する。ここでは、原稿に照明光を照射して読み取った第１読取画像と、この第１読取画像を読み取った領域に特定波長光を照射し、この特定波長光の照射により消色印刷剤であれば消色されているこの領域に照明光を照射して読み取った第２読取画像とに基づいて判断する。これらの画像を比較し、同じであれば消色印刷剤が使用されていないと判断でき、異なっていれば消色印刷剤が使用されていると判断できる。比較するのは、原稿の画像の一部領域でも全領域でも構わない。上記の「領域」は、この一部領域と全領域とを含んでいる。一部領域で判断する場合は原稿の読取動作中に判断結果が得られ、全領域で判断する場合は原稿の読み取りが完了してから判断結果が得られる。
【００１０】
照明光と特定波長光の照射タイミングは、消色印刷剤が使用されている場合には特定波長光の照射で原稿の画像に変化が生じるその変化前（消去前）の読取画像となる第１読取画像と、変化後（消去後）の読取画像となる第２読取画像とが取得可能な任意のタイミングにすることができる。たとえば、全領域または一部領域を２回読み取る際に、照明光を２回に分けて照射しその間に特定波長光を照射してもよい。複数の一部領域を個々に連続的に読み取る場合は、すなわち、１つの一部領域に対する２回の照明光照射とその間の特定波長光照射とを複数の一部領域に対して連続的に繰り返す場合は、１つの一部領域に対する２回目の照明光照射から、次の一部領域に対する１回目の照明光照射までを継続させることで、照明光と特定波長光を交互に照射するようにしてもよい。これらの場合は、照明光と特定波長光の照射期間が一部重複してもしなくても構わない。さらに後者の場合（複数の一部領域を個々に連続的に読み取る場合の場合）は、照明光を連続照射している間に特定波長光を間欠的に照射するようにしてもよい。第１読取画像と第２読取画像とは、上記の照明光と特定波長光の照射タイミングに合わせた所定のタイミングに各々読み取って取得する。
【００１１】
原稿の画像に消色印刷剤が使用されていると判断した場合は、たとえば、読取画像の出力を禁止したり制限したりするなど、出力動作を変更することができる（出力動作のみの変更）。この判断結果を一部領域の読み取りで得た場合は、原稿の読み取りを停止して出力を行わない、あるいは、判断後は不要となる第２読取画像の読み取りを停止し原稿（第１読取画像）の読み取りを完了させ出力を制限するなど、読取動作と出力動作を共に変更することができる。これにより、消色印刷剤で印刷されている原稿内の情報の漏洩を抑制することができる。
【００１２】
また、一部領域の読み取りで消色印刷剤が使用されていないとの判断結果を得た場合は、判断後は不要となる特定波長光の照射や第２読取画像の読み取りを停止し原稿（第１読取画像）の読み取りを完了させ出力を変更せずに行うこともできる（読取動作のみの変更）。これにより、原稿全体を読み取って消色印刷剤が使用されているか否かを判断する場合と比較し、原稿の読み取り速度を向上させることができる。
［２］原稿を読み取るための照明光を原稿に照射する読取用光源と、
特定波長光の照射により消色する消色印刷剤を消色させる該特定波長光を原稿に照射する消去用光源と、
前記読取用光源により照明光が照射された原稿からの反射光を受光して原稿を読み取る読取部と、
前記読取部により読み取られた原稿の読取画像を出力する出力部と、
原稿に前記読取用光源により照明光を照射して前記読取部により第１読取画像を読み取り、該第１読取画像を読み取った前記原稿の領域に前記消去用光源により特定波長光を照射し、該特定波長光の照射により前記消色印刷剤であれば消色されている該領域に前記読取用光源により照明光を照射して前記読取部により第２読取画像を読み取り、前記第１読取画像と前記第２読取画像とを比較し、該比較結果に基づいて、前記原稿の画像に前記消色印刷剤が使用されているか否かを判断し、該判断結果に応じて、前記原稿の読取画像の出力を禁止する、前記原稿の読取画像の少なくとも一部に前記消色印刷剤が使用されるように出力する、又は前記消色印刷剤が使用されていることを示す情報と関連付けて出力する制御部と、
を備えた画像処理装置。
［３］前記読取部は、前記第２読取画像を一部の領域毎に読み取り、
前記制御部は、前記原稿の画像に前記消色印刷剤が使用されているか否かの判断結果に応じて、前記読取部による前記第２読取画像の読取動作を停止する
ことを特徴とする［２］に記載の画像処理装置。
【００１３】
［４］前記読取部は、所定サイズの読取範囲で原稿を一部領域毎に読み取り、
前記読取用光源と前記消去用光源とは、前記読取範囲へ向けて光照射し、
当該画像処理装置は、前記読取範囲および該読取範囲へ向けて光照射する前記読取用光源および前記消去用光源と、原稿とを相対移動させる移動部とを備え、
前記制御部は、前記読取部の前記読取範囲に位置する原稿に前記読取用光源により照明光を照射して前記読取部により前記原稿の一部領域の第１読取画像を読み取り、該一部領域に前記消去用光源により特定波長光を照射し、該特定波長光の照射により前記消色印刷剤であれば消色されている該一部領域に前記読取用光源により照明光を照射して前記読取部により該一部領域の第２読取画像を読み取る
ことを特徴とする［１］〜［３］のいずれか１項に記載の画像処理装置。
【００１４】
上記発明では、読取部により所定サイズの読取範囲で原稿を一部領域毎に読み取り、この一部領域毎の個々の読取画像を繋ぎ合わせて原稿の全領域の読取画像を取得する構成において、照明光と特定波長光を読取範囲へ向けて照射できるため、すなわち、読取範囲に位置する同一の一部領域へ向けて照明光と特定波長光を照射できるため、たとえば、読取部、光源、原稿を移動させずに１つの一部領域の第１読取画像と第２読取画像を読み取ることができる。これにより、第１読取画像と第２読取画像を短時間に取得できる。
【００１５】
たとえば、１つまたは複数の一部領域から読み取った第１読取画像と第２読取画像とに基づいて判断を行う場合は、その読み取りを終えた時点での判断結果に応じて原稿の読取動作および原稿の読取画像の出力動作のうちの少なくとも一方の動作を変更することができる。原稿の全領域から読み取った第１読取画像と第２読取画像とに基づいて判断を行う場合は、読取部による読取範囲およびこの読取範囲へ向けて光照射する読取用光源および消去用光源と、原稿とを相対移動させて原稿の一部領域毎の第１読取画像と第２読取画像とを取得する。この一部領域毎の個々の第１読取画像を繋ぎ合わせて原稿の全領域の第１読取画像を取得し、一部領域毎の個々の第２読取画像を繋ぎ合わせて原稿の全領域の第２読取画像を取得することができる。
【００１６】
相対移動を行う移動部の構成は、不動の読取範囲および光源に対して原稿を移動させる構成と、不動の原稿に対して読取範囲および光源を移動させる構成とを含む。読取範囲の移動は、読取部を移動させる構成、不動の読取部に原稿（読取範囲）からの反射光を導くミラー（反射板）などを移動させる構成などがある。
【００１７】
［５］前記制御部は、前記原稿の前記読取部による前第１読取画像及び前記第２読取画像の読取動作中に該原稿の画像に前記消色印刷剤が使用されていると判断した場合は、前記読取部による前第１読取画像及び前記第２読取画像の読取動作を停止する
ことを特徴とする［４］に記載の画像処理装置。
【００１８】
上記発明では、消色印刷剤が使用されている原稿では読取動作中に読取動作が停止し、原稿の読み取りによる原稿内の情報の複製防止および漏洩抑制が図られる。
【００１９】
［６］前記制御部は、前記原稿の前記読取部による前第１読取画像及び前記第２読取画像の読取動作中に該原稿の画像に前記消色印刷剤が使用されていると判断した場合は、前記読取部による前記第２読取画像の読取動作を停止し、前記読取部による前記第１読取画像の読取動作と前記消去用光源による特定波長光の照射とを継続して完了させる
ことを特徴とする［１］、［３］または［４］に記載の画像処理装置。
【００２０】
上記発明では、消色印刷剤が使用されている原稿では、読取動作の途中から第２読取画像の読み取りが停止され読取速度がアップする。これにより、原稿の読み取りに要する時間が短縮し生産性が高められる。読み取りが完了すると原稿の消色印刷剤による画像が消去される。読み取られた原稿の画像（第１読取画像）は画像処理装置に取得される。
【００２１】
［７］前記制御部は、前記原稿の前記読取部による前第１読取画像及び前記第２読取画像の読取動作中に該原稿の画像に前記消色印刷剤が使用されていると判断した場合、または、前記消色印刷剤が使用されていないと判断した場合は、前記消去用光源による特定波長光の照射と前記読取部による前記第２読取画像の読取動作とを停止し、前記読取部による前記第１読取画像の読取動作を継続して完了させる
ことを特徴とする［１］、［３］または［４］に記載の画像処理装置。
【００２２】
上記発明では、原稿の読取動作の途中から第２読取画像の取得が停止され読取速度がアップする。これにより、原稿の読み取りに要する時間が短縮し生産性が高められる。読み取られた原稿の画像（第１読取画像）は画像処理装置に取得される。
【００２３】
［８］前記制御部は、前記原稿の画像に前記消色印刷剤が使用されていると判断した場合に、出力を禁止する
ことを特徴とする［１］〜［５］のいずれか１項に記載の画像処理装置。
【００２４】
上記発明では、消色印刷剤が使用されている原稿では、原稿の画像の出力が禁止され、原稿の読み取りによる原稿内の情報の複製防止および漏洩抑制が図られる。
【００２５】
［９］前記制御部は、前記原稿の画像に前記消色印刷剤が使用されていると判断した場合は、前記消色印刷剤を使用して記録紙に該読取画像を印刷する
ことを特徴とする［１］〜［４］、［６］のいずれか１項に記載の画像処理装置。
【００２６】
上記発明では、消色印刷剤が使用されている原稿では、読み取られた原稿の画像の出力が消色印刷剤を使用した印刷に制限される。消色印刷剤で印刷した画像は消去可能であり、これにより、原稿内の情報の漏洩が抑制される。［６］との組み合わせでは、読み取られた原稿では消色印刷剤による画像が消去され、その画像は複写された記録紙に消色印刷剤で印刷される。すなわち、消色印刷剤による画像が複写元の紙（原稿）から複写先の紙（記録紙）へ移動する。これにより、原稿内の情報の複製防止および漏洩抑制が図られる。
【００２７】
［１０］前記制御部は、前記原稿の画像に前記消色印刷剤が使用されていないと判断した場合は、前記特定波長光の照射により消色しない非消色印刷剤を使用して記録紙に該読取画像を印刷する
ことを特徴とする［１］〜［４］、［７］、［９］のいずれか１項に記載の画像処理装置。
【００２８】
上記発明では、消色印刷剤が使用されていない原稿では、非消色印刷剤を使用して通常の複写が行われる。
【００２９】
［１１］前記制御部は、前記第１読取画像と前記第２読取画像とが異なり、かつ、前記第１読取画像と前記第２読取画像とに一致する同領域と一致しない異領域とが存在する場合は、前記原稿における前記同領域に対応する画像領域には前記消色印刷剤が使用されていないと判断し、前記異領域に対応する画像領域には前記消色印刷剤が使用されていると判断する
ことを特徴とする［１］〜［１０］のいずれか１項に記載の画像処理装置。
【００３０】
上記発明では、消色印刷剤が使用されていない画像領域と使用されている画像領域とが混在している原稿では、少なくとも消色印刷剤による画像領域は消色印刷剤を使用して複写される。このような原稿に対しても、消色印刷剤による画像領域の情報が漏洩することを抑制できる。
［１２］前記制御部は、前記第１読取画像と前記第２読取画像とが異なり、かつ、前記第１読取画像と前記第２読取画像とに一致する同領域と一致しない異領域とが存在する場合は、少なくとも前記異領域は前記消色印刷剤を使用して印刷する
ことを特徴とする［１］〜［４］、［７］、［９］〜［１１］のいずれか１項に記載の画像処理装置。
【００３１】
［１３］前記制御部は、前記同領域は前記特定波長光の照射により消色しない非消色印刷剤を使用して印刷する
ことを特徴とする［１１］または［１２］に記載の画像処理装置。
【００３２】
上記発明では、消色印刷剤が使用されていない画像領域と使用されている画像領域とが混在している原稿では、前者の画像領域は非消色印刷剤を使用し後者の画像領域は消色印刷剤を使用して複写される。この場合は、原稿において消去できる画像領域は、複写した記録紙においても消去可能であり、この画像領域の情報が漏洩することを抑制できる。他の画像領域の情報は、複写した記録紙では容易に消去できない情報として印刷される。
【００３３】
［１４］前記制御部は、前記原稿の画像に前記消色印刷剤が使用されていると判断した場合は、少なくとも前記異領域は前記消色印刷剤を使用し、印刷部数を１部にする
ことを特徴とする［１１］〜［１３］のいずれか１項に記載の画像処理装置。
【００３４】
上記発明では、消色印刷剤が使用されている原稿の複写（消色印刷剤を使用した印刷）は１部のみに制限され、複数部複写されて情報漏洩が拡大するようなことを抑制できる。［６］との組み合わせでは、読み取られた原稿では消色印刷剤による画像が消去され、その画像は消色印刷剤により１部しか複写できないため、複製防止および情報漏洩の拡大抑制が図られる。
【００３５】
［１５］前記制御部は、前記原稿の画像に前記消色印刷剤が使用されていると判断した場合は、前記読取部による、前記第１読取画像及び前記第２読取画像の読取動作が完了してから印刷動作を実行する
ことを特徴とする［９］〜［１４］のいずれか１項に記載の画像処理装置。
【００３６】
上記発明では、消色印刷剤が使用されている原稿の複写では、原稿の読み取りが完了してから印刷（消色印刷剤を使用した印刷）が開始され、消色印刷剤が使用されている原稿を保全しつつその複製が印刷出力されることを防止できる。たとえば、原稿の全領域の第１読取画像を読み取ってから原稿の一部領域に特定波長光を照射してその一部領域の第２読取画像を読み取り、その一部領域に対応する第１読取画像と第２読取画像とに基づいて判断を行う場合には、消色印刷剤が使用されていると判断した直後に消色印刷剤を使用して第１読取画像を印刷することも可能である。この判断直後の印刷が開始されたタイミングに原稿が取り出されると、原稿を保全しつつその複製が印刷出力される可能性があるが、このような原稿の保全と複製の作成とを防止することができる。
【００３７】
［１６］前記制御部は、前記原稿の画像に前記消色印刷剤が使用されていると判断した場合は、前記記録紙の上縁部と下縁部のうちの少なくとも一方に前記消色印刷剤を使用してダミー画像を印刷する
ことを特徴とする［９］〜［１５］のいずれか１項に記載の画像処理装置。
【００３８】
上記発明では、消色印刷剤が使用されている原稿の複写で、消色印刷剤により印刷された記録紙には、上縁部と下縁部のうちの少なくとも一方に消色印刷剤でダミー画像が印刷される。この記録紙（原稿）の複写では、ダミー画像が印刷されている記録紙の上端側または下端側から読み取り始め、上縁部または下縁部のダミー画像を読み取って取得した第１読取画像と、この第１読取画像に対して変化（消去）している第２読取画像とに基づいて消色印刷剤が使用されていると判断される。これにより、記録紙内のコンテンツを読み取らなくても、原稿の読取動作および原稿の読取画像の出力動作のうちの少なくとも一方の動作を変更することができる。
【００３９】
［１７］前記印刷を実行するときに使用する前記消色印刷剤の残量を検知する検知部を備え、
前記制御部は、前記検知部により前記消色印刷剤の残量が所定量以下であることが検知された場合は、印刷の実行を禁止する
ことを特徴とする［９］〜［１６］のいずれか１項に記載の画像処理装置。
【００４０】
上記発明では、消色印刷剤が使用されている原稿の複写で、印刷に使用される画像処理装置内の消色印刷剤の残量が所定量以下の場合には、消色印刷剤を使用して記録紙に印刷を行うと、記録紙への消色印刷剤の乗りが悪くなり、かすれが発生した見栄えの悪い印刷物が生成されるため、印刷を行わないようにする。このような見栄えの悪い印刷物を生成しないようにすることで、記録紙や消色印刷剤、電力などの印刷に要する資源の無駄な消費を抑えることができ、省エネルギー効果も得られる。
【００４１】
［１８］前記出力は、前記読取画像を外部装置に転送する転送を含み、
前記制御部は、前記消色印刷剤が使用されていると判断した原稿の読取画像を外部装置に転送する場合は、前記消色印刷剤を使用して記録紙に該読取画像を印刷する動作を実行可能な外部装置への転送のみを許可する
ことを特徴とする［９］〜［１７］のいずれか１項に記載の画像処理装置。
【００４２】
上記発明では、原稿の読取画像を外部装置に転送する場合に、消色印刷剤が使用されている原稿の読取画像は、消色印刷剤を使用した印刷を実行可能な外部装置（印刷装置）への転送のみが許可される。原稿の読取画像をこの外部装置へ転送した場合も、消色印刷剤で印刷が行われ情報漏洩が抑制される。また、消色印刷剤を使用した印刷を実行不能な外部装置、たとえば、画像の記憶、処理、消色印刷剤を使用した印刷以外の出力を行う外部装置への転送は禁止となる。これにより、このような外部装置に原稿内の情報が転送されて漏洩することを抑制できる。
【００４３】
［１９］前記制御部は、前記消色印刷剤が使用されていると判断した原稿の読取画像を当該画像処理装置内に保存する場合は、該読取画像の読み取り元の原稿の画像に消色印刷剤が使用されていることを示す情報を該読取画像に関連付けて保存し、前記情報が関連付けられて保存されている読取画像を出力する場合は、前記消色印刷剤を使用して記録紙に該読取画像を印刷する動作のみを許可する
ことを特徴とする［９］〜［１８］のいずれか１項に記載の画像処理装置。
【００４４】
上記発明では、当該画像処理装置内に保存した原稿の読取画像を出力する場合に、消色印刷剤が使用されている原稿の読取画像は、消色印刷剤を使用した印刷による出力のみが許可される。この消色印刷剤を使用した印刷による出力は、当該画像処理装置による出力と、消色印刷剤を使用した印刷を実行可能な外部装置への転送による出力とを含む。これにより、消色印刷剤が使用されている原稿の読取画像を装置内に保存して出力する場合も、消色印刷剤で印刷が行われ情報漏洩が抑制される。
【００４５】
［２０］前記制御部は、前記情報が関連付けられて保存されている読取画像を、前記消色印刷剤を使用して記録紙に該読取画像を印刷した場合は、保存されている該読取画像と該情報とを消去する
ことを特徴とする［１９］に記載の画像処理装置。
【００４６】
上記発明では、消色印刷剤が使用されている原稿の読取画像を当該画像処理装置内に保存して出力した場合は、装置内に保存されていた読取画像と識別情報を消去し、その読取画像を再出力できなくする。これにより、複製防止および情報漏洩の拡大抑制が図られる。
【００４７】
［２１］前記制御部は、前記第１読取画像と前記第２読取画像とが異なり、かつ、前記第１読取画像と前記第２読取画像とに一致する同領域と一致しない異領域とが存在する場合は、前記異領域を所定画像に置換した前記読取画像を前記特定波長光の照射により消色しない前記非消色印刷剤を使用して印刷する
ことを特徴とする［１１］に記載の画像処理装置。
【００４８】
上記発明では、消色印刷剤が使用されていない画像領域と使用されている画像領域とが混在している原稿では、前者の画像領域はそのまま非消色印刷剤を使用し、後者の画像領域は所定画像に置換され非消色印刷剤を使用して複写される。これにより、原稿の読取画像を非消色印刷剤のみを使用して印刷する場合でも、原稿内の消去可能な画像領域の情報が漏洩することを抑制できる。
【００４９】
［２２］印刷を実行するときに使用する前記消色印刷剤の残量を検知する検知部を備え、
前記制御部は、前記検知部により前記消色印刷剤の残量が所定量以下であることが検知された場合に、前記印刷を実行する
ことを特徴とする［２１］に記載の画像処理装置。
【００５０】
上記発明では、消色印刷剤が使用されていない画像領域と使用されている画像領域とが混在している原稿の複写では、印刷に使用される画像処理装置内の消色印刷剤の残量が所定量以下の場合に、［２１］に記載の印刷を行う。すなわち、消色印刷剤が使用されている画像領域は所定画像に置換し非消色印刷剤を使用して記録紙に印刷する。
【００５１】
これにより、原稿内の消色印刷剤が使用されている画像領域を、そのまま消色印刷剤を使用して記録紙に印刷（複写）した場合に生じる、その印刷物内の消色印刷剤を使用して印刷された画像領域の見栄えの悪化を回避しつつ、原稿内の消色印刷剤が使用されていない画像領域の情報は、非消色印刷剤を使用して記録紙に印刷（複写）しユーザに提供することができる。
【００５２】
［２３］前記読取部により読み取られる原稿がセットされる原稿台と、
前記原稿台にセットされた原稿を取り出し可能に保持する第１保持状態と該原稿を取り出し不能に保持する第２保持状態とに切り替え可能な保持部とを備え、
前記制御部は、前記原稿の前記読取部による第１読取画像及び前記第２読取画像の読取動作では前記保持部を前記第２保持状態に切り替え、前記読取動作を終えると前記保持部を前記第１保持状態に切り替える
ことを特徴とする［１］〜［２２］のいずれか１項に記載の画像処理装置。
【００５３】
上記発明では、原稿を原稿台にセットして読み取る場合の読取動作では、保持部が第２保持状態に切り替わって原稿は取り出し不能に保持される。保持部を第２保持状態に切り替えるタイミングは、読取動作の開始時点でもよいし開始直後（開始後所定時間以内）でもよい。読取動作が終わると、保持部が第１保持状態に切り替わって原稿は原稿台から取り出し可能となる。上記の読取動作の終わりとは、読取動作が完了して終わる場合と、読取動作が停止（途中停止）して終わる場合とを含む。
【００５４】
原稿の画像に消色印刷剤が使用されている場合には、読取時にその画像における特定波長光が照射された領域は消去されることになる。読み取り後の原稿の画像に大きな消去領域が発生した場合には、再読み取りを行っても元の画像は取得できない。このように、消色印刷剤を使用して画像が印刷されている原稿は、再読み取りできなくなる可能性があるため、１度の読み取りで良好（正常）な読取画像を取得する必要がある。たとえば、読取動作中に原稿台上の原稿が位置ずれを起こすと、読取画像にはブレが生じてしまう。また、読取動作中に原稿台上から原稿が取り出されると、読取画像は原稿の読み取り済み領域までの中途半端な画像になってしまう。
【００５５】
これに対し、読取動作では原稿台にセットされた原稿を取り出し不能に保持することにより、読取動作中に原稿台上の原稿が位置ずれを起こしたり取り出されたりすることが防止され、１度の読み取りで良好（正常）な読取画像を取得できるようになる。
【００５６】
［２４］前記読取部により読み取られる原稿がセットされる原稿台と、
前記原稿台にセットされた原稿を取り出し可能に保持する第１保持状態と該原稿を取り出し不能に保持する第２保持状態とに切り替え可能な保持部とを備え、
前記制御部は、前記保持部を前記第１保持状態にして前記原稿の前記読取部による第１読取画像及び前記第２読取画像の読取動作を開始し、該読取動作中に前記原稿の画像に前記消色印刷剤が使用されていると判断した場合は前記保持部を前記第２保持状態に切り替え、前記読取動作を完了すると前記保持部を前記第１保持状態に切り替える
ことを特徴とする［１］、［３］、［４］、［６］のいずれか１項に記載の画像処理装置。
【００５７】
上記発明では、原稿を原稿台にセットして読み取る場合の読取動作では、保持部を第１保持状態（原稿は取り出し可能）にして読取動作を開始する。この読取動作中に原稿の画像に消色印刷剤が使用されていると判断した場合は、保持部が第２保持状態に切り替わって原稿は取り出し不能に保持される。読取動作が終わると、保持部が第１保持状態に切り替わって原稿は原稿台から取り出し可能となる。
【００５８】
このように、原稿を取り出し可能に保持して読取動作を開始する。読取動作中に原稿の画像に消色印刷剤が使用されており、原稿を取り出し不能に保持する必要がある場合（読取動作を停止しない場合など）にその保持状態に切り替え、その原稿の取り出し不能な保持状態を継続して読取動作を完了させる。これにより、原稿を取り出し不能に保持する必要性が低い場合のその保持状態への切り替えを行わなくて済む。また、消色印刷剤を使用して画像が印刷されている原稿に対しては、保持後は原稿台上で位置ずれを起こしたり原稿台上から取り出されたりすることが防止され、１度の読み取りで良好な読取画像を取得できるようになる。
【００５９】
［２５］不揮発性記憶部を備え、
前記制御部は、前記第１読取画像を前記不揮発性記憶部に保存する
ことを特徴とする［１］〜［２４］のいずれか１項に記載の画像処理装置。
【００６０】
上記発明では、原稿の第１読取画像を不揮発性記憶部に保存する。たとえば、原稿の第１読取画像を揮発性記憶部に保存する構成では、その第１読取画像の出力が完了する前に画像処理装置に突発的な電源遮断などが発生すると、揮発性記憶部に保存した第１読取画像が消失し、画像処理装置を再起動してもその第１読取画像を出力できなくなる。また、消色印刷剤が使用されている原稿を読み取った場合は、その原稿からは既に画像が消去されているので、その画像は原稿上にも画像処理装置内にも存在せず、失われることになる。
【００６１】
ここでは、消色印刷剤が使用されている原稿を読み取ってその原稿から画像が消去された状態で、その原稿の第１読取画像の出力完了前に画像処理装置に突発的な電源遮断などが発生しても、その原稿の第１読取画像は不揮発性記憶部に保存されているので消失せずに保全される。これにより、画像処理装置を再起動し、消失せずに不揮発性記憶部に保存（保全）されている第１読取画像を使用して、元の原稿と同じ原稿を復元（再作成）することができる。
【００６２】
［２６］前記制御部は、前記第２読取画像を前記不揮発性記憶部に保存する
ことを特徴とする［２５］に記載の画像処理装置。
【００６３】
上記発明では、原稿の第２読取画像も不揮発性記憶部に保存する。これにより、画像処理装置に突発的な電源遮断などが発生しても、第１読取画像と第２読取画像を消失から保護することができる。
【００６４】
消色印刷剤が使用されている画像領域と、非消色印刷剤が使用されている画像領域とが混在している原稿を読み取った場合、第１読取画像は、両方の画像領域を読み取ったものになり、第２読取画像は、非消色印刷剤が使用されている画像領域を読み取ったものになる。この場合は、第１読取画像のみでは、消色印刷剤を使用した画像領域と、非消色印刷剤を使用した画像領域とを識別することはできない。第１読取画像と第２読取画像を比較することで、それらの画像領域の識別が可能になる。そこで上記のように、第１読取画像と第２読取画像をそれぞれ不揮発性記憶部に保存することにより、この不揮発性記憶部に保存した第１読取画像と第２読取画像を使用して、元の原稿（消色印刷剤と非消色印刷剤が使用されている原稿）と同じ原稿を復元（再作成）することができる。
【００６５】
［２７］揮発性記憶部を備え、
前記制御部は、前記不揮発性記憶部に保存する読取画像を、前記原稿の画像に前記消色印刷剤が使用されていると判断するまでは前記揮発性記憶部に保存しておき、前記原稿の画像に前記消色印刷剤が使用されていると判断した場合に、前記揮発性記憶部に保存しておいた読取画像を前記不揮発性記憶部に保存する
ことを特徴とする［２５］または［２６］に記載の画像処理装置。
【００６６】
上記発明では、原稿の読取画像（第１読取画像のみ、または第１読取画像と第２読取画像）をまず揮発性記憶部に保存しておき、原稿の画像に消色印刷剤が使用されていると判断した場合に、揮発性記憶部に保存しておいた読取画像を不揮発性記憶部に保存する。この判断時点までは不揮発性記憶部よりもアクセス速度が早い揮発性記憶部に読取画像を保存することで、処理速度の低下が抑えられる。また、最終的に原稿の画像に消色印刷剤が使用されていないと判断した場合は、揮発性記憶部に保存されている読取画像にアクセスして出力を行うことになり、この場合も処理速度の低下が抑えられる。
【００６７】
［２８］揮発性記憶部を備え、
前記制御部は、前記原稿の画像に前記消色印刷剤が使用されていないと判断した場合に、前記不揮発性記憶部に保存されている読取画像を前記揮発性記憶部に保存する
ことを特徴とする［２５］または［２６］に記載の画像処理装置。
【００６８】
上記発明では、原稿の読取画像（第１読取画像のみ、または第１読取画像と第２読取画像）を最初から不揮発性記憶部に保存するので、画像処理装置の突発的な電源遮断などによる読取画像の消失に対する安全性（原稿の復元性）が高められる。また、原稿の画像に消色印刷剤が使用されていないと判断した場合は、不揮発性記憶部に保存されている読取画像（第１読取画像と第２読取画像のうちの少なくとも一方）を揮発性記憶部に保存するので、不揮発性記憶部に保存されている読取画像にアクセスして出力を行う場合に比べて、処理速度の低下が抑えられる。
【００６９】
［２９］前記制御部は、前記不揮発性記憶部の空き容量を確認し、その空き容量が所定容量以下の場合は、前記読取部による第１読取画像及び前記第２読取画像の読取動作を禁止する
ことを特徴とする［２５］〜［２８］のいずれか１項に記載の画像処理装置。
【００７０】
上記発明では、不揮発性記憶部の空き容量を確認し、その空き容量が所定容量以下の場合は、読取動作を禁止する。これにより、原稿の読取画像（第１読取画像のみ、または第１読取画像と第２読取画像）を不揮発性記憶部の空き容量不足で不揮発性記憶部に保存できないといった事態を回避することができる。
【００７１】
［３０］原稿を読み取るための照明光を原稿に照射する読取用光源と、
特定波長光の照射により消色する消色印刷剤を消色させる該特定波長光を原稿に照射する消去用光源と、
前記読取用光源により照明光が照射された原稿からの反射光を受光して原稿を読み取る読取部と、
前記読取部により読み取られた原稿の読取画像を出力する出力部と、
原稿に前記読取用光源により照明光を照射して前記読取部により第１読取画像を読み取り、該第１読取画像を読み取った前記原稿の領域に前記消去用光源により特定波長光を照射し、該特定波長光の照射により前記消色印刷剤であれば消色されている該領域に前記読取用光源により照明光を照射して前記読取部により第２読取画像を読み取り、前記第１読取画像と前記第２読取画像とに基づいて、前記原稿の画像に前記消色印刷剤が使用されているか否かを判断し、該判断結果を出力する制御部と、
を備えた画像読取装置。
【００７２】
上記発明では、原稿を読み取って取得した読取画像を出力する画像読取装置において、原稿を読み取る際に原稿の画像に消色印刷剤が使用されているか否かを正確に判断（判別）し、その正確な判断結果を出力することができる。たとえば、画像読取装置から読取画像とその判断結果を受けた画像出力装置が判断結果に応じて出力動作を変更する、あるいは、表示によって出力された判断結果をユーザが確認して原稿の読取動作を変更したり、原稿の読取画像の出力動作を変更したりすることもできる。これにより、消色可能な印刷剤で印刷されている原稿内の情報の漏洩を抑制することも可能となる。
【発明の効果】
【００７３】
本発明の画像処理装置および画像読取装置によれば、消色可能な印刷剤で印刷されている原稿内の情報の漏洩を抑制することができる。
【図面の簡単な説明】
【００７４】
【図１】本発明の第１の実施形態に係る画像処理装置としての複合機の概略構成を示すブロック図である。
【図２】複合機が備えるスキャナ部の概略構成を示す図である。
【図３】複合機の表示部に表示された読取モード設定画面を示す図である。
【図４】複合機による読取モードの設定動作を示す流れ図である。
【図５】複合機による原稿の読取時に原稿内の画像に消色トナーが使用されているか否かを判断する判断動作を示す流れ図である。
【図６】図５の判断動作における光源の点灯／消灯タイミングと原稿の読み取りタイミングを示すタイミングチャートである。
【図７】判断後に第２読取画像の読み取りのみを停止する動作に切り替えた場合のタイミングチャートである。
【図８】判断後に第２読取画像の読み取りと消去用光源の点滅制御を停止する動作に切り替えた場合のタイミングチャートである。
【図９】原稿画像における通常トナーと消色トナーの混在および各トナー領域の判断の概要を示す図である。
【図１０】複合機による読取動作変更の制御を示す流れ図である。
【図１１】図１０における消色トナー用の動作変更制御（Ｓ２１２）のサブルーチンの第１パターンを示す流れ図である。
【図１２】図１０における消色トナー用の動作変更制御（Ｓ２１２）のサブルーチンの第２パターンを示す流れ図である。
【図１３】記録紙の上縁部と下縁部にダミー画像を消色トナーで印刷した場合の一例を示す図である。
【図１４】原稿画像の全領域を読み取って通常トナーと消色トナーの混在を判断する場合の制御を示す流れ図である。
【図１５】図１４における消色トナー用の動作変更制御（Ｓ５１１）のサブルーチンを示す流れ図である。
【図１６】原稿のコピーで消色トナーの画像領域が所定画像に置き換えられた一例を示す図である。
【図１７】複合機内の保存画像を出力する場合の制御を示す流れ図である。
【図１８】図１７における消色トナー用の動作変更制御（Ｓ７０７）のサブルーチンを示す流れ図である。
【図１９】複合機が備えるスキャナ部の変形例１の概略構成を示す図である。
【図２０】複合機が備えるスキャナ部の変形例２の概略構成を示す図である。
【図２１】複合機が備えるスキャナ部の変形例３の概略構成を示す図である。
【図２２】本発明の第２の実施形態に係る複合機の表示部に表示されたプラテンカバーロック設定画面を示す図である。
【図２３】複合機によるプラテンカバーロック動作を示す流れ図である。
【図２４】本発明の第３の実施形態に係る複合機による消去読取モードの生産性優先および処理速度重視の動作を示す流れ図である。
【図２５】本発明の第３の実施形態に係る複合機による消去読取モードのトナー種混在判別および処理速度重視の動作を示す流れ図である。
【図２６】本発明の第３の実施形態に係る複合機による消去読取モードの生産性優先および安全性重視の動作を示す流れ図である。
【図２７】本発明の第３の実施形態に係る複合機による消去読取モードのトナー種混在判別および安全性重視の動作を示す流れ図である。
【発明を実施するための形態】
【００７５】
以下、図面に基づき本発明の実施形態を説明する。
【００７６】
［第１の実施形態］
図１は、本発明の第１の実施形態に係る画像処理装置としての複合機（Multi Function Peripheral/Multi Function Printer；ＭＦＰ）１０の概略構成を示すブロック図である。
【００７７】
複合機１０は、原稿の画像を光学的に読み取ってその複製画像を記録紙に印刷して出力するコピー機能、読み取った原稿の画像データをファイルにして保存したり端末装置やサーバ、他の複合機１０、ＵＳＢ（Universal Serial Bus）メモリなどの外部記憶装置へ転送したりするスキャン機能、端末装置から受信した印刷データに係る画像や当該複合機１０に保存されている画像データ（ファイル）に係る画像を記録紙に印刷して出力するプリンタ機能、画像データを送受信するファクシミリ機能、電子メールを送受信する電子メール機能などを備えている。
【００７８】
また複合機１０は、原稿内の画像に特定波長光を照射すると消色（無色化）する消色トナーが使用されているか否かを原稿の読取時に判断する機能、その判断結果に応じて原稿の読取動作を変更したり、読み取った原稿の画像データの出力動作を変更したりする機能を備えている。出力動作は、コピー機能による印刷動作、スキャン機能による内部保存動作や外部装置（端末装置、サーバ、外部記憶装置、他の複合機１０など）への転送動作、ファクシミリ機能による転送動作（ファクシミリ送信動作）、電子メール機能による転送動作（メール添付送信動作）などである。また、読み取った原稿の画像データを内部保存（ＢＯＸ保存）し、別途出力する場合の印刷や転送などの出力動作も変更の対象となる。
【００７９】
複合機１０は、制御部としてのＣＰＵ（Central Processing Unit）１１に、バス１２を介してＲＯＭ（Read Only Memory）１３と、ＲＡＭ（Random Access Memory）１４と、不揮発メモリ１５と、ハードディスク装置１６と、表示部１７と、操作部１８と、ファクシミリ通信部１９と、ネットワーク通信部２０と、画像処理部２１と、スキャナ部２２と、プリンタ部２３と、接続部２４とを接続して構成される。
【００８０】
ＣＰＵ１１は、ＲＯＭ１３に格納されているプログラムに基づいて複合機１０の動作を制御する。ＲＡＭ１４は、ＣＰＵ１１がプログラムを実行する際に各種データを一時的に格納するワークメモリとして使用されるほか、画像データを一時的に保存するための画像メモリなどにも使用される。
【００８１】
不揮発メモリ１５は、電源がオフされても記憶が保持されるメモリであり、装置固有の情報や各種の設定情報などが記憶される。ハードディスク装置１６は、各種の保存データを格納するほか、入力された画像データなども保存する。これらの不揮発メモリ１５とハードディスク装置１６は、不揮発性メモリ（不揮発性記憶部）に含まれる。
【００８２】
表示部１７は、液晶ディスプレイなどで構成され、操作画面、設定画面、確認画面、通知画面などの各種の画面を表示する。操作部１８は、スタートボタン、ストップボタン、テンキーなどの各種のボタン類と、液晶ディスプレイの表面に設けられて押下された座標位置を検出するタッチパネルなどで構成され、ユーザが複合機１０に対して行う各種の操作を受け付ける。
【００８３】
ファクシミリ通信部１９は、ファクシミリ機能を備えた外部装置と公衆回線を通じて画像データを送受信する。ネットワーク通信部２０は、ＬＡＮ（Local Area Network）などのネットワークを通じて端末装置やサーバ、他の複合機１０などと通信を行う。
【００８４】
画像処理部２１は、画像データに対して、画像補正、回転、拡大／縮小、圧縮／伸張など各種の画像処理を施す。
【００８５】
スキャナ部２２は、原稿を光学的に読み取って画像データを取得する。スキャナ部２２の構成については後述する。
【００８６】
プリンタ部２３は、画像データに基づく画像を電子写真プロセスによって記録紙上に形成して出力する。プリンタ部２３は、たとえば、記録紙の搬送装置と、感光体ドラムと、帯電装置と、入力される画像データに応じて点灯制御されるＬＤ（Laser Diode）と、ＬＤから射出されたレーザ光を感光体ドラム上で走査させる走査ユニットと、現像装置と、転写分離装置と、クリーニング装置と、定着装置とを有する、いわゆるレーザープリンタとして構成されている。レーザ光に代えてＬＥＤ（Light Emitting Diode）で感光体ドラムを照射するＬＥＤプリンタのほか他の方式のプリンタであってもかまわない。
【００８７】
またプリンタ部２３は、特定波長光を照射すると消色（無色化）する消色トナーと、通常トナー（非消色トナー）とを選択的に使用して記録紙に画像を形成する機能を備えている。プリンタ部２３は、たとえば上記の感光体ドラム、帯電装置、ＬＤ（またはＬＥＤ）、走査ユニット、現像装置、転写分離装置、クリーニング装置などを通常トナー用と消色トナー用とで個別に備えており、記録紙単位（印刷面単位）で両トナーを使い分けて画像を形成したり、１枚の記録紙内（１つの印刷面内）で両トナーを領域毎に使い分けて画像を形成したりすることが可能となっている。またプリンタ部２３は、通常トナーの残量を検知する通常トナー残量検知部２５と、消色トナーの残量を検知する消色トナー残量検知部２６とを備えている。
【００８８】
消色トナーは、たとえば、近赤外線を照射すると無色化するトナーである。たとえば、着色剤としてシアニン系染料、消色助剤として有機ホウ素アンモニウム塩を用い、近赤外線を照射すると染料が無色のロイコ体になるものである。
【００８９】
接続部２４は、ＵＳＢメモリなどの外部記憶装置が接続される。
【００９０】
複合機１０は、上記のプリンタ部２３により通常トナーと消色トナーとを選択的に使用して印刷を行うことができる。原稿のコピーでは、ユーザが表示部１７および操作部１８を通じてコピーに関する各種の条件を設定する際に、印刷に使用するトナーの種別を選択できるようになっている。複合機１０は、通常トナーが選択された場合には通常トナーを使用して原稿のコピーを印刷する。消色トナーが選択された場合には消色トナーを使用して原稿のコピーを印刷する。
【００９１】
複合機１０にドキュメントの印刷を依頼する端末装置は、複合機１０のドライバプログラム（プリンタドライバ）を搭載している。このドライバプログラムは、ドキュメントの印刷に使用するトナー種別の選択を受け付ける機能、消色トナーを選択した場合にその使用範囲（使用領域）の指定を受け付ける機能などを備えている。使用範囲の指定では、ドキュメントにおける消色トナーの使用範囲を任意の範囲で指定することができる。使用範囲を指定しない場合には消色トナーの使用範囲は全範囲となる。
【００９２】
複合機１０は、端末装置から通常トナー選択の印刷データを受信した場合には、通常トナーを選択・使用してドキュメントを印刷する（通常トナー単独使用）。端末装置から消色トナー選択の印刷データを受信した場合には、消色トナーを選択・使用してドキュメントを印刷する（消色トナー単独使用）。端末装置から消色トナー選択かつ使用範囲指定の印刷データを受信した場合には、ドキュメントにおける指定範囲に消色トナーを選択・使用し指定範囲以外に通常トナーを選択・使用してドキュメントを印刷する（両トナー併用）。この場合は、複合機１０から出力された１枚の印刷物内に消色トナーで印刷された領域と通常トナーで印刷された領域とが混在することになる。
【００９３】
端末装置から複合機１０に印刷を依頼するユーザは、たとえば、機密性の低い文書（一般文書）は通常トナーを選択して印刷し、機密性の高い文書（機密文書）は消色トナーを選択して印刷するなどが可能である。また、文書内の一部に機密性の高い情報が含まれている場合には、その情報を含む範囲のみを消色トナーの使用範囲に指定することもできる。
【００９４】
複合機１０におけるスキャナ部２２は、原稿を読み取るための照明光を原稿に照射する読取用光源と、消色トナーを無色化する特定波長光（近赤外線）を原稿に照射する消去用光源と、読取用光源により照明光が照射された原稿からの反射光を受光して原稿を読み取る読取部などを備えて構成される。スキャナ部２２は、原稿を読み取る機能の他に、原稿に特定波長光を照射し、原稿内の消色トナーで印刷されている画像を消去する機能を備えている。
【００９５】
図２に、本発明の一実施形態に係るスキャナ部２２ａの概略構成を示す。本実施形態に係るスキャナ部２２ａは、フラッドベッド型（原稿固定型）スキャナとして構成されている。本図の（Ａ）に示すように、スキャナ部２２ａは、原稿Ｍが載置されるプラテンガラス３１（原稿台）と、プラテンガラス３１上の原稿Ｍを読み取る読取装置３２ａと、読取装置３２ａを原稿Ｍの長さ方向（読み取り方向Ｘ）へ移動させる移動機構３３とを備えている。
【００９６】
読取装置３２ａは、プラテンガラス３１上の原稿Ｍに照明光Ｌａを照射する読取用光源３４と、原稿Ｍからの反射光Ｌｂを受光して原稿Ｍを幅方向に１ライン分読み取る読取部としてのラインイメージセンサ（光電変換素子）３５と、特定波長光ＩＲを原稿Ｍに照射するための消去用光源３６と、消去用光源３６からの特定波長光ＩＲを反射集光してラインイメージセンサ３５による原稿Ｍの読取範囲（読取位置）Ｓへ照射させる反射板３７と、これらの部品を保持して移動機構３３に取り付けられた保持部材３８とを備えている。本図の（Ｂ）では、読取装置３２ａを上方から見た平面図を示している。
【００９７】
ラインイメージセンサ３５による所定サイズの読取範囲Ｓはライン状（一次元状）である。読取用光源３４による照明光Ｌａと消去用光源３６による特定波長光ＩＲは、ラインイメージセンサ３５による原稿Ｍの読取範囲Ｓへ向けて照射される。ラインイメージセンサ３５は、移動機構３３によって原稿Ｍの長さ方向へ順次移動し、ライン状の読取範囲Ｓで原稿Ｍをライン毎（一部領域毎）に読み取る（走査読取）。またスキャナ部２２ａは、ラインイメージセンサ３５の出力するアナログ画像信号をデジタルの画像データに変換する変換部なども備えている。
【００９８】
本実施形態に係るスキャナ部２２ａは、読取装置３２ａを移動させなくても、照明光Ｌａと特定波長光ＩＲとをラインイメージセンサ３５による読取範囲Ｓに照射できる、すなわち、プラテンガラス３１上の原稿Ｍにおける同一ライン上（同一走査線上）に照射できる構成となっている。プラテンガラス３１上の原稿Ｍに特定波長光ＩＲを照射した場合、その原稿Ｍの画像が消色トナーで印刷されていれば特定波長光ＩＲの照射領域は無色化し、通常トナーで印刷されていれば無色化しないことになる。
【００９９】
一般に消色トナーは、特定波長光の照射強度（光量）に応じて消色時間（消色速度）が変化する。本実施形態では、消去用光源３６から発散される特定波長光ＩＲをラインイメージセンサ３５による読取範囲Ｓに集光し、光量を高めて消色時間を短くするために、その集光機能を備えた反射板３７を設けている。
【０１００】
また、本実施形態に係るスキャナ部２２ａは、原稿の全領域の第１読取画像と第２読取画像を取得する場合、１回の走査読み取りまたは２回に分けた走査読み取りの何れでも取得可能である。読取装置３２ａの往復移動による２回の走査読み取りで第１読取画像と第２読取画像を取得する場合は、図２の例では、読取用光源３４を点灯させて読取装置３２ａを図中の右側から左側へ移動させ１回目の走査読み取りを行い、第１読取画像を取得する。次に消去用光源３６および読取用光源３４を交互に点灯／消灯させて読取装置３２ａを図中の左側から右側へ移動させ２回目の走査読み取りを行い、第２読取画像を取得することができる。
【０１０１】
次に、複合機１０の動作について説明する。
【０１０２】
（読取モード設定）
まず、複合機１０のスキャナ部２２ａにおける原稿の読取モードを設定する設定動作について説明する。
【０１０３】
図３は、複合機１０の表示部１７に表示された読取モード設定画面６０を示す図である。本画面は管理者設定画面の一部として表示される。なお、本画面はユーザ設定画面の一部として表示されるようにしてもよい。
【０１０４】
複合機１０は、原稿の読取モードとして、通常読取モードと消去読取モードを備えている。通常読取モードは、スキャナ部２２ａの消去用光源３６を点灯させず、読取用光源３４を点灯させて照明光を照射し原稿を読み取る読取モードである。消去読取モードは、スキャナ部２２ａの読取用光源３４と消去用光源３６を所定のタイミングに交互に点灯させ、照明光と特定波長光を交互に照射して原稿を読み取る読取モードである。
【０１０５】
管理者（またはユーザ）は、読取モード設定画面６０に表示されている通常読取モード選択ボタン６１または消去読取モード選択ボタン６２を押下していずれかの読取モードを選択し、同画面に表示されている確定ボタン６３を押下して、選択した読取モードの設定（確定）を行うことができる。読取モード設定画面６０を通じて読取モードの設定が行われると、不揮発メモリ１５に読取モードの設定値が保存される。なお、デフォルトの設定値は通常読取モードとなっている。
【０１０６】
図４は、複合機１０による読取モードの設定動作を示す流れ図である。複合機１０では、管理者（またはユーザ）から読取モードを設定するための操作（読取モード設定画面６０の表示操作）を受けると（ステップＳ００１）、ＣＰＵ１１は不揮発メモリ１５に保存されている読取モードの設定値を確認し（ステップＳ００２）、現在の設定値に対応する読取モードの設定状態を明示した読取モード設定画面６０を表示部１７に表示する。
【０１０７】
設定値が通常読取モードである場合には（ステップＳ００３；通常）、ＣＰＵ１１は通常読取モードの設定状態を示した読取モード設定画面６０を表示部１７に表示する（ステップＳ００４）。たとえば、通常読取モード選択ボタン６１をハイライト表示した読取モード設定画面６０などを表示する。読取モード設定画面６０を通じて読取モードの変更を受けなかった場合には（ステップＳ００５；Ｎｏ）、ＣＰＵ１１は読取モード設定画面６０を消去し表示部１７に前画面を表示する（ステップＳ０１０〜Ｅｎｄ）。消去読取モードへの変更を受けた場合には（ステップＳ００５；Ｙｅｓ）、ＣＰＵ１１は不揮発メモリ１５に保存されている読取モードの設定値を通常読取モードから消去読取モードに書き換え（ステップＳ００６）、読取モード設定画面６０を消去し表示部１７に前画面を表示する（ステップＳ０１０〜Ｅｎｄ）。
【０１０８】
また、設定値が消去読取モードである場合には（ステップＳ００３；消去）、ＣＰＵ１１は消去読取モードの設定状態を示した読取モード設定画面６０を表示部１７に表示する（ステップＳ００７）。たとえば、消去読取モード選択ボタン６２をハイライト表示した読取モード設定画面６０などを表示する（図３の状態）。読取モード設定画面６０を通じて読取モードの変更を受けなかった場合には（ステップＳ００８；Ｎｏ）、ＣＰＵ１１は読取モード設定画面６０を消去し表示部１７に前画面を表示する（ステップＳ０１０〜Ｅｎｄ）。通常読取モードへの変更を受けた場合には（ステップＳ００８；Ｙｅｓ）、ＣＰＵ１１は不揮発メモリ１５に保存されている読取モードの設定値を消去読取モードから通常読取モードに書き換え（ステップＳ００９）、読取モード設定画面６０を消去し表示部１７に前画面を表示する（ステップＳ０１０〜Ｅｎｄ）。
【０１０９】
（トナー種判別）
次に、消去読取モードによる原稿の読取時に原稿内の画像に消色トナーが使用されているか否かを判断する判断動作について説明する。
【０１１０】
この判断は、図２に示したスキャナ部２２ａにて原稿Ｍに特定波長光ＩＲを照射する前に読み取った第１読取画像と照射した後に読み取った第２読取画像とを取得し、これらの読取画像を比較することで行う。比較した結果、同じであれば消色トナーは使用されておらず通常トナーが使用されていると判断し、異なっていれば消色トナーが使用されていると判断する。比較は、原稿画像の一部領域で行う場合と、全領域で行う場合とがある。生産性（パフォーマンス）を優先させる場合は一部領域を比較し、通常トナーと消色トナーの混在を判別する場合は全領域を比較する。
【０１１１】
図５は、複合機１０による上記の判断動作の流れを示す図である。図６は、判断動作における読取用光源３４および消去用光源３６の点灯／消灯タイミングと原稿の読み取りタイミング（画像データの取得タイミング）を示すタイミングチャートである。原稿画像の一部領域を比較する場合と全領域を比較する場合の基本的な動作は同じであり、図５および図６にはこの基本的な動作を示している。
【０１１２】
複合機１０のＣＰＵ１１は、スキャナ部２２ａによる原稿Ｍの読取動作を開始すると（Ｓｔａｒｔ）、読み取り開始前には消灯されている読取用光源３４および消去用光源３６のうち、読取用光源３４のみを点灯させる（ステップＳ１０１〜ステップＳ１０２；Ｎｏ／図６参照）。ラインイメージセンサ３５は、読取用光源３４により照明光Ｌａが照射された原稿Ｍの読取範囲Ｓからの反射光Ｌｂを受光して蓄積し、読取範囲Ｓにおける画像（ライン画像）を読み取る。
【０１１３】
ＣＰＵ１１は、読取用光源３４をラインイメージセンサ３５の光蓄積による画像の読み取りに必要な所定時間点灯させる（ステップＳ１０２；Ｙｅｓ／図６の第１読み取りタイミング）。スキャナ部２２ａから画像データとして出力された読取画像を第１読取画像として取得し（ステップＳ１０３／図６の第１読み取りタイミングの画像（第１読取画像）を取得）、読取用光源３４を消灯させ消去用光源３６を点灯させる（ステップＳ１０４〜ステップＳ１０５；Ｎｏ）。消去用光源３６を消色トナーの無色化に必要な所定時間点灯させると（ステップＳ１０５；Ｙｅｓ／図６の所定の消去時間）、消去用光源３６を消灯させ読取用光源３４を再度点灯させる（ステップＳ１０６〜ステップＳ１０７；Ｎｏ）。読取用光源３４をラインイメージセンサ３５の光蓄積による画像の読み取りに必要な所定時間点灯させ（ステップＳ１０７；Ｙｅｓ／図６の第２読み取りタイミング）、スキャナ部２２ａから画像データとして出力された読取画像を第２読取画像として取得する（ステップＳ１０８／図６の第２読み取りタイミングの画像（第２読取画像）を取得）。
【０１１４】
ＣＰＵ１１は、取得した第１読取画像と第２読取画像を比較し（ステップＳ１０９）、同じである場合は（ステップＳ１０９；同じ）、原稿Ｍの画像に通常トナーが使用されていると判断する（ステップＳ１１０〜Ｅｎｄ）。異なる場合は（ステップＳ１０９；異なる）、原稿Ｍの画像に消色トナーが使用されていると判断する（ステップＳ１１１〜Ｅｎｄ）。なお、原稿の縁部に存在する空白領域は無視し、原稿内の画像領域から読み取った第１および第２読取画像を比較対象とする。
【０１１５】
以上が基本的な動作である。原稿画像（縁部の空白領域を除いた画像領域）の１ライン目の読取画像で判断する場合は、ステップＳ１０１〜Ｓ１０８までを１回行って取得した１ライン目の第１読取画像と第２読取画像を比較し判断する。複数ライン（１ライン目〜ｎライン目）の読取画像で判断する場合は、これを複数回（ｎ回）繰り返して取得した複数ライン分（ｎライン分）の第１読取画像と第２読取画像を比較し判断する。原稿画像の全領域の読取画像で判断する場合は、これを原稿の読み取り完了まで繰り返して取得した全領域分の第１読取画像と第２読取画像を比較し判断する。
【０１１６】
また、図６に示すように、読取用光源３４は１つのラインに対する２回目の点灯後（第２読取画像を取得するための再点灯後）は、点灯状態にて次のラインに対する１回目の点灯動作に移行する。本実施形態では、このように読取用光源３４の点灯状態をライン間で継続することで、読取用光源３４および消去用光源３６の点灯／消灯を交互に繰り返す点滅制御を行っている。
【０１１７】
原稿画像の一部領域（１ライン目または複数ライン分）で判断する場合、判断後は第２読取画像の読み取り（図６の第２読み取りタイミング）が冗長となる。判断後はこの第２読取画像の読み取りを省略し、第１読取画像のみを読み取って以降の原稿画像の読み取りを行う。
【０１１８】
消色トナーが使用されていると判断した場合は、原稿画像を消去するのであれば第２読取画像の読み取りのみを停止し、消去用光源３６の点滅制御は継続する。通常トナーが使用されていると判断した場合は、原稿に特定波長光を照射する必要がないので、消去用光源３６の点滅制御も停止する。また、消色トナーが使用されていると判断した場合で、原稿画像を消去する必要のない場合も消去用光源３６の点滅制御を停止する。
【０１１９】
図７は、判断後に第２読取画像の読み取りのみを停止する動作に切り替えた場合のタイミングチャートである。図示のように、たとえばｎライン目で切り替えると、ｎライン目以降の読取動作では第２読取画像を読み取るための読取用光源３４の点灯（第２読み取りタイミング）が省略される。図６と比較すると、第２読み取りタイミングがなくなることで、そのタイミング分の時間が１ライン当たりの読み取りにおいて短縮される。
【０１２０】
図８は、判断後に第２読取画像の読み取りと消去用光源３６の点滅制御を停止する動作に切り替えた場合のタイミングチャートである。図示のように、たとえばｎライン目で切り替えると、ｎライン目以降の読取動作では図７に対して更に消去用光源３６の点灯（所定の消去時間）が省略され、第１読み取りタイミングの連続的な繰り返しになる（読取用光源３４の点灯継続）。したがって、１ライン当たりの読み取り時間が更に短縮される。
【０１２１】
図９は、原稿画像における通常トナーと消色トナーの混在および各トナー領域の判断（トナー種混在判別）の概要を示す図である。
【０１２２】
この判断は、原稿画像の全領域を読み取って取得した第１読取画像と第２読取画像の差分画像を抽出し、これらの画像を比較することで行う。本図では、（Ａ）に示すように原稿画像をＩｍとし、（Ｂ）に示すように第１読取画像をＩ１、第２読取画像をＩ２、差分画像をＩ３としている（Ｉ１−Ｉ２＝Ｉ３）。
【０１２３】
特定波長光ＩＲの照射前に読み取った第１読取画像Ｉ１は、原稿画像に使用されているトナーの種別とは関係なく、原稿画像Ｉｍと同じになる。（Ｂ）に示すように、第１読取画像Ｉ１と第２読取画像Ｉ２が全領域で一致し差分画像Ｉ３がない場合には（Ｉ１＝Ｉ２（Ｉ３＝０））、トナー種別の混在はなく、原稿画像の全領域に通常トナーが使用されていると判断する。（Ｃ）に示すように、第１読取画像Ｉ１と第２読取画像Ｉ２が一致せずに差分画像Ｉ３があり、かつ、差分画像Ｉ３が第１読取画像Ｉ１と同じである場合には（Ｉ１≠Ｉ２（Ｉ３≠０）かつＩ３＝Ｉ１（Ｉ２＝０））、トナー種別の混在はなく、原稿画像の全領域に消色トナーが使用されていると判断する。（Ｄ）に示すように、第１読取画像Ｉ１と第２読取画像Ｉ２が一致せずに差分画像Ｉ３があり、かつ、差分画像Ｉ３が第１読取画像Ｉ１と異なる場合には（Ｉ１≠Ｉ２（Ｉ３≠０）かつＩ３≠Ｉ１）、トナー種別の混在があり、原稿画像における第２読取画像Ｉ２に対応する領域に通常トナーが使用されており、差分画像Ｉ３に対応する領域に消色トナーが使用されていると判断する。
【０１２４】
（動作変更内容）
続いて、判断後の読取動作と出力動作の変更内容について説明する。本実施形態では、主に以下の３つの観点で動作変更の制御を行うようにしている。各制御における動作の変更内容の概要は以下の通りである。なお、（２）と（３）は、消色トナーが使用されている原稿は機密性の高い文書（機密文書）であるとの認識に基づく制御である。
【０１２５】
（１）読取動作を対象としたパフォーマンス向上のための制御
ａ．読取動作中に原稿の画像に消色トナーが使用されていると判断した場合は第２読取画像の読み取り停止（図７参照）・・・本制御を以下では「制御１ａ」と呼ぶ。
ｂ．読取動作中に原稿の画像に通常トナーが使用されていると判断した場合は第２読取画像の読み取りおよび消去用光源の点灯停止（図８参照）・・・本制御を以下では「制御１ｂ」と呼ぶ。
（２）出力動作を対象としたコンテンツ移動のための制御
ａ．原稿の画像に消色トナーが使用されていると判断した場合は、複合機１０内に一時的または継続的に保存する読取画像に、読み取り元の原稿画像に消色トナーが使用されていることを示す識別情報を関連付けて記憶・・・本制御を以下では「制御２ａ」と呼ぶ。
（＊識別情報は、関連付けられている画像（画像データ）を消色トナーで印刷することを示す情報でもある）
ｂ．複合機１０内に一時的または継続的に保存された画像（読取画像）を出力する際に、識別情報が関連付けられている場合は消色トナーを使用してその画像を印刷する出力動作（限定出力動作）に制限・・・本制御を以下では「制御２ｂ」と呼ぶ。
ｂ１．出力種別が印刷（コピー、ＢＯＸ toプリントなど）の場合は、ユーザ設定にかかわらず強制的に消色トナーを選択して出力
ｂ２．出力種別が他の装置への転送（スキャンtoプリントなど）の場合は、転送先装置の能力を確認し、消色トナーによる印刷が実行可能であれば転送許可、実行不可であれば転送禁止
ｂ３．出力種別が外部記憶装置（ＵＳＢメモリなど）への転送の場合は、転送禁止
ｃ．印刷完了後または転送完了後に、保存されている画像（読取画像）と識別情報を消去・・・本制御を以下では「制御２ｃ」と呼ぶ。
（３）セキュリティ向上、省エネルギー効果のための制御
ａ．原稿の画像に消色トナーが使用されていると判断した場合は出力動作（出力処理）禁止（⇒機密文書複製禁止）・・・本制御を以下では「制御３ａ」と呼ぶ。
出力動作：コピー出力、スキャンtoＸＸＸ、ファクシミリ送信など
ｂ．読取動作中に原稿の画像に消色トナーが使用されていると判断した場合は読取動作停止かつ出力動作禁止（⇒冗長な読取動作停止＆機密文書複製禁止）・・・本制御を以下では「制御３ｂ」と呼ぶ。
ｃ．消色トナーの残量が所定量以下の場合は上記の制御３ａまたは制御３ｂの禁止制御実行（⇒印刷に要する各種資源の消費抑制＆省エネ効果）・・・本制御を以下では「制御３ｃ」と呼ぶ。
【０１２６】
以下では、上記の各制御を具体的に説明する。
【０１２７】
図１０は、複合機１０の制御１ａによる読取動作変更の制御を示す流れ図である。
【０１２８】
複合機１０では、スキャナ部２２に原稿がセットされ、操作部１８で出力種別が選択されて開始指示（スタートボタン押下）を受けると（ステップＳ２０１）、ＣＰＵ１１はスキャナ部２２を動作させて原稿の読み取りを開始する（ステップＳ２０２（読取動作開始））。選択可能な出力種別は、印刷（コピー）、内部保存（スキャンtoＢＯＸ（ＨＤＤ））、外部転送などである。
【０１２９】
印刷（コピー）ではトナーの種別を選択することもできる。この印刷においては通常トナーが選択された場合で説明する。外部転送では転送先の種別として、ファクシミリ送信、スキャンtoＥｍａｉｌ、スキャンtoＳＭＢ（Server Message Block）、スキャンtoＦＴＰ（File Transfer Protocol）、スキャンtoＵＳＢ、スキャンtoプリント（他の複合機１０によるプリント）などが指定される。
【０１３０】
図５および図６で説明したように、ＣＰＵ１１はスキャナ部２２により原稿の走査読み取りを行い、第１読取画像と第２読取画像を取得して、第１読取画像はＲＡＭ１４の第１所定領域に一時保存し、第２読取画像はＲＡＭ１４の第２所定領域に一時保存する（ステップＳ２０３〜Ｓ２０４；Ｎｏ）。原稿画像の所定の一部領域（画像の１ライン目または１ライン目から所定の複数ライン分）の第１読取画像と第２読取画像を取得し（ステップＳ２０４；Ｙｅｓ）、それらを比較して原稿の画像に通常トナーが使用されていると判断した場合は（ステップＳ２０５；Ｙｅｓ）、スキャナ部２２による原稿の読取動作を第１読取画像のみを読み取って取得し消去用光源３６を点灯させない動作に変更し（ステップＳ２０６〜Ｓ２０７；Ｎｏ（図８参照））、原稿の読み取りを完了させる（ステップＳ２０７；Ｙｅｓ）。原稿の読み取りが完了すると、ＣＰＵ１１は出力種別に応じた出力動作を行う。
【０１３１】
出力種別が印刷の場合は（ステップＳ２０８；印刷）、原稿の読取画像（第１読取画像）をプリンタ部２３により通常トナーで記録紙に印刷して出力し（ステップＳ２０９）、本原稿に対する読み取りおよび出力を終了する（Ｅｎｄ）。出力種別が内部保存の場合は（ステップＳ２０８；内部保存）、原稿の読取画像（第１読取画像）をハードディスク装置１６に保存し（ステップＳ２１０）、本原稿に対する読み取りおよび出力を終了する（Ｅｎｄ）。出力種別が外部転送の場合は（ステップＳ２０８；外部転送）、原稿の読取画像（第１読取画像）を外部装置に転送し（ステップＳ２１１）、本原稿に対する読み取りおよび出力を終了する（Ｅｎｄ）。
【０１３２】
原稿の走査読み取りを行って取得した第１読取画像と第２読取画像の比較から原稿の画像に消色トナーが使用されていると判断した場合は（ステップＳ２０５；Ｎｏ）、消色トナー用の動作変更制御をサブルーチンで行う（ステップＳ２１２）。
【０１３３】
図１１は、図１０における消色トナー用の動作変更制御（Ｓ２１２）のサブルーチンの第１パターンを示す流れ図である。本サブルーチンは、前述の制御３ｂに対応している。
【０１３４】
本サブルーチンでは、ＣＰＵ１１はスキャナ部２２による読取動作を停止し（ステップＳ３０１）、出力動作を禁止し（ステップＳ３０２）。メインルーチンに戻る（Ｒｅｔｕｒｎ〜Ｅｎｄ）。この場合は、原稿の画像を所定の一部領域まで読み取ったところで読み取りが終了する。
【０１３５】
図１２は、図１０における消色トナー用の動作変更制御（Ｓ２１２）のサブルーチンの第２パターンを示す流れ図である。本サブルーチンは、前述の制御１ａ、制御２ａ〜制御２ｃ、制御３ｃに対応している。
【０１３６】
本サブルーチンでは、ＣＰＵ１１はＲＡＭ１４の第１所定領域に一時保存している第１読取画像に識別情報を関連付けて記憶する（ステップＳ４０１）。出力種別が印刷の場合は（ステップＳ４０２；印刷）、ＣＰＵ１１は消色トナー残量検知部２６による消色トナーの残量検知を確認する（ステップＳ４０３）。消色トナーの残量が所定量を超えている場合は（ステップＳ４０３；Ｙｅｓ）、スキャナ部２２による原稿の読取動作を第１読取画像のみを読み取って取得し消去用光源３６を点灯させて原稿の画像を消去する動作に変更し（ステップＳ４０４〜Ｓ４０５；Ｎｏ（図７参照））、原稿の読み取りを完了させる（ステップＳ４０５；Ｙｅｓ）。
【０１３７】
原稿の読み取りが完了すると、ＣＰＵ１１は原稿の読取画像（第１読取画像）をプリンタ部２３により消色トナーで記録紙に印刷して出力する（ステップＳ４０６）。印刷を終えると、ＲＡＭ１４に一時保存していた第１読取画像および識別情報を消去し（ステップＳ４０７）、メインルーチンに戻る（Ｒｅｔｕｒｎ〜Ｅｎｄ）。
【０１３８】
消色トナーの残量が所定量以下の場合は（ステップＳ４０３；Ｎｏ）、ＣＰＵ１１はスキャナ部２２による原稿の読取動作を停止し（ステップＳ４０８）、プリンタ部２３による印刷動作を禁止する（ステップＳ４０９）。ＲＡＭ１４に一時保存していた第１読取画像および識別情報を消去し（ステップＳ４０７）、メインルーチンに戻る（Ｒｅｔｕｒｎ〜Ｅｎｄ）。
【０１３９】
出力種別が内部保存の場合は（ステップＳ４０２；内部保存）、ＣＰＵ１１はスキャナ部２２による原稿の読取動作を第１読取画像のみを読み取って取得し消去用光源３６を点灯させて原稿の画像を消去する動作に変更し（ステップＳ４１０〜Ｓ４１１；Ｎｏ（図７参照））、原稿の読み取りを完了させる（ステップＳ４１１；Ｙｅｓ）。原稿の読み取りが完了すると、ＣＰＵ１１は第１読取画像および識別情報を関連付けてハードディスク装置１６に保存する（ステップＳ４１２）。保存を終えると、ＲＡＭ１４に一時保存していた第１読取画像および識別情報を消去し（ステップＳ４０７）、メインルーチンに戻る（Ｒｅｔｕｒｎ〜Ｅｎｄ）。
【０１４０】
出力種別が外部転送で（ステップＳ４０２；外部転送）、転送先が他の複合機１０以外の場合は、すなわち、ファクシミリ送信、スキャンtoＥｍａｉｌ、スキャンtoＳＭＢ（ＰＣ）、スキャンtoＦＴＰ（サーバ）、スキャンtoＵＳＢなどの場合は（ステップＳ４１３；ＦＡＸなど）、ＣＰＵ１１はスキャナ部２２による原稿の読取動作を停止し（ステップＳ４１４）、ファクシミリ通信部１９、ネットワーク通信部２０、接続部２４による転送動作を禁止する（ステップＳ４１５）。ＲＡＭ１４に一時保存していた第１読取画像および識別情報を消去し（ステップＳ４０７）、メインルーチンに戻る（Ｒｅｔｕｒｎ〜Ｅｎｄ）。
【０１４１】
出力種別が外部転送で（ステップＳ４０２；外部転送）、転送先が他の複合機１０の場合は（ステップＳ４１３；ＭＦＰ）、ネットワーク通信部２０を通じて転送先の複合機１０に消色トナーによる印刷が可能であるか否かを問い合わせる（ステップＳ４１６）。印刷不可の応答を受けた場合は（ステップＳ４１６；Ｎｏ）、ＣＰＵ１１はスキャナ部２２による原稿の読取動作を停止し（ステップＳ４１４）、ネットワーク通信部２０による転送動作を禁止する（ステップＳ４１５）。ＲＡＭ１４に一時保存していた第１読取画像および識別情報を消去し（ステップＳ４０７）、メインルーチンに戻る（Ｒｅｔｕｒｎ〜Ｅｎｄ）。
【０１４２】
印刷可能の応答を受けた場合は（ステップＳ４１６；Ｙｅｓ）、ＣＰＵ１１はスキャナ部２２による原稿の読取動作を第１読取画像のみを読み取って取得し消去用光源３６を点灯させて原稿の画像を消去する動作に変更し（ステップＳ４１７〜Ｓ４１８；Ｎｏ（図７参照））、原稿の読み取りを完了させる（ステップＳ４１８；Ｙｅｓ）。原稿の読み取りが完了すると、ＣＰＵ１１は原稿の読取画像（第１読取画像）とこの読取画像に関連付けられている識別情報とを、ネットワーク通信部２０を通じて転送先の複合機１０に転送する（ステップＳ４１９）。転送を終えると、ＲＡＭ１４に一時保存していた第１読取画像および識別情報を消去し（ステップＳ４０７）、メインルーチンに戻る（Ｒｅｔｕｒｎ〜Ｅｎｄ）。
【０１４３】
転送先の複合機１０は、画像（読取画像）と識別情報を受信すると、識別情報があることで消色トナーを選択し、受信した画像を消色トナーで記録紙に印刷して出力する。
【０１４４】
複合機１０（転送先を含む）による消色トナーを使用した読取画像の印刷では、記録紙の上縁部（上端部）と下縁部（下端部）のうちの少なくとも一方に消色トナーでダミー画像を印刷するようにしてもよい。このダミー画像は、記録紙の上縁部に印刷することが好ましく、記録紙の上縁部と下縁部に印刷することがより好ましい。
【０１４５】
図１３は、記録紙Ｐの上下縁部にダミー画像５０を消色トナーで印刷した場合の一例を示す図である。本例では、記録紙Ｐの右上角近傍と左下角近傍に１個ずつ四角形（正方形）のダミー画像５０が印刷されている。
【０１４６】
ダミー画像は、強制的に印刷される、または、印刷するか否かを初期設定（管理者設定）や逐次選択（ユーザ選択）としてもよい。さらに、ダミー画像の形状（種類）、位置、個数などを予め定められた複数種類の中から初期設定または逐次選択できるようにしてもよい。この記録紙（原稿）を複合機１０でコピーする場合は、記録紙内のコンテンツを読み取らず、ダミー画像を読み取って取得した第１読取画像と第２読取画像を比較して、消色トナーが使用されていると判断されるようになる。この場合も図１１または図１２による動作変更の制御が行われるようになる。
【０１４７】
図１４は、原稿画像の全領域を読み取って通常トナーと消色トナーの混在を判断する場合の制御を示す流れ図である。
【０１４８】
図９で概要を説明したように、原稿画像における通常トナーと消色トナーの混在および各トナー領域の判断は、原稿画像の全領域を読み取って取得した第１読取画像と第２読取画像の差分画像を抽出し、これらの画像を比較することで行う。この比較では、図９（Ｂ）に示した第１読取画像と第２読取画像が一致する場合（通常トナーのみ場合）と、図９（Ｃ）に示した第１読取画像と差分画像が一致する場合（消色トナーのみ場合）と、いずれの画像も一致しない場合（混在ありの場合）とがある。
【０１４９】
この比較による判断後に、原稿の読取画像を出力（内部保存／印刷／外部保存）する場合、第１読取画像と、第２読取画像または差分画像が一致する場合には、一致しているうちのいずれの画像を出力してもかまわないが、本実施形態では第１読取画像を優先的に（第１読取画像を原稿の読取画像として）出力するようにしている。なお、第１読取画像に代えて、第１読取画像に一致している第２読取画像または差分画像を出力するようにしてもよい。また、通常トナーと消色トナーが混在している場合は、通常トナーに対応する第２読取画像と消色トナーに対応する差分画像を原稿の読取画像として出力するようにしている。
【０１５０】
複合機１０では、スキャナ部２２に原稿がセットされ、操作部１８で出力種別が選択されて開始指示（スタートボタン押下）を受けると（ステップＳ５０１）、ＣＰＵ１１はスキャナ部２２を動作させて原稿の読み取りを開始する（ステップＳ５０２（読取動作開始））。
【０１５１】
ＣＰＵ１１はスキャナ部２２により原稿の走査読み取りを行い、第１読取画像と第２読取画像を取得して、第１読取画像はＲＡＭ１４の第１所定領域に一時保存し、第２読取画像はＲＡＭ１４の第２所定領域に一時保存する（ステップＳ５０３〜Ｓ５０４；Ｎｏ）。原稿画像の全領域の第１読取画像と第２読取画像を取得すると（ステップＳ５０４；Ｙｅｓ（読取動作完了））、第１読取画像と第２読取画像の差分画像を抽出し、ＲＡＭ１４の第３所定領域に一時保存する（ステップＳ５０５）。ＣＰＵ１１は、第１読取画像と第２読取画像を比較して全領域が一致しており、原稿の画像に通常トナーのみが使用されていると判断した場合は（ステップＳ５０６；Ｙｅｓ（図９（Ｂ）の場合））、出力種別に応じた出力動作を行う。
【０１５２】
出力種別が印刷の場合は（ステップＳ５０７；印刷）、第１読取画像を原稿の読取画像としてプリンタ部２３により通常トナーで記録紙に印刷して出力し（ステップＳ５０８）、本原稿に対する読み取りおよび出力を終了する（Ｅｎｄ）。出力種別が内部保存の場合は（ステップＳ５０７；内部保存）、第１読取画像を原稿の読取画像としてハードディスク装置１６に保存し（ステップＳ５０９）、本原稿に対する読み取りおよび出力を終了する（Ｅｎｄ）。出力種別が外部転送の場合は（ステップＳ５０７；外部転送）、第１読取画像を原稿の読取画像として外部装置に転送し（ステップＳ５１０）、本原稿に対する読み取りおよび出力を終了する（Ｅｎｄ）。
【０１５３】
ＣＰＵ１１は、第１読取画像と第２読取画像を比較して一致していないことにより、原稿の画像に消色トナーが使用されていると判断した場合は（ステップＳ５０６；Ｎｏ（図９（Ｃ）、（Ｄ）参照））、消色トナー用の動作変更制御をサブルーチンで行う（ステップＳ５１１）。
【０１５４】
図１５は、図１４における消色トナー用の動作変更制御（Ｓ５１１）のサブルーチンを示す流れ図である。本サブルーチンは、前述の制御２ａ〜制御２ｃおよび制御３ａ、制御３ｃに対応している。
【０１５５】
本サブルーチンでは、ＣＰＵ１１はＲＡＭ１４に一時保存している第１読取画像、第２読取画像、および差分画像に識別情報を関連付けて記憶する（ステップＳ６０１）。
【０１５６】
出力種別が内部保存で（ステップＳ６０２；内部保存）、原稿の画像に消色トナーのみが使用されている場合は（ステップＳ６１４；Ｎｏ（図９（Ｃ）の場合））、ＣＰＵ１１は第１読取画像を原稿の読取画像として、第１読取画像に識別情報を関連付けてハードディスク装置１６に保存する（ステップＳ６１５）。保存を終えると、ＲＡＭ１４に一時保存していた第１読取画像、第２読取画像、差分画像、および識別情報を消去し（ステップＳ６０６）、メインルーチンに戻る（Ｒｅｔｕｒｎ〜Ｅｎｄ）。
【０１５７】
出力種別が内部保存で（ステップＳ６０２；内部保存）、原稿の画像に通常トナーと消色トナーが使用されている場合は（ステップＳ６１４；Ｙｅｓ（図９（Ｄ）の混在の場合））、ＣＰＵ１１は第２読取画像と差分画像を原稿の読取画像として、差分画像に識別情報を関連付けて第２読取画像と共にハードディスク装置１６に保存する（ステップＳ６１６）。保存を終えると、ＲＡＭ１４に一時保存していた第１読取画像、第２読取画像、差分画像、および識別情報を消去し（ステップＳ６０６）、メインルーチンに戻る（Ｒｅｔｕｒｎ〜Ｅｎｄ）。
【０１５８】
出力種別が印刷の場合は（ステップＳ６０２；印刷）、ＣＰＵ１１は消色トナー残量検知部２６による消色トナーの残量検知を確認する（ステップＳ６０３）。消色トナーの残量が所定量を超えている場合は（ステップＳ６０３；Ｙｅｓ）、消色トナーを使用した印刷を行う。
【０１５９】
原稿の画像に消色トナーのみが使用されている場合は（ステップＳ６０４；Ｎｏ（図９（Ｃ）の場合））、ＣＰＵ１１は第１読取画像を原稿の読取画像として、プリンタ部２３により消色トナーで記録紙に印刷して出力する（ステップＳ６０５）。印刷を終えると、ＲＡＭ１４に一時保存していた第１読取画像、第２読取画像、差分画像、および識別情報を消去し（ステップＳ６０６）、メインルーチンに戻る（Ｒｅｔｕｒｎ〜Ｅｎｄ）。
【０１６０】
原稿の画像に通常トナーと消色トナーが使用されている場合は（ステップＳ６０４；Ｙｅｓ（図９（Ｄ）の混在の場合））、ＣＰＵ１１は第２読取画像と差分画像を原稿の読取画像として、プリンタ部２３により第２読取画像を通常トナーで、差分画像を消色トナーで記録紙（１枚の記録紙内）に印刷して出力する（ステップＳ６０７）。印刷を終えると、ＲＡＭ１４に一時保存していた第１読取画像、第２読取画像、差分画像、および識別情報を消去し（ステップＳ６０６）、メインルーチンに戻る（Ｒｅｔｕｒｎ〜Ｅｎｄ）。
【０１６１】
消色トナーの残量が所定量以下で（ステップＳ６０３；Ｎｏ）、原稿の画像に消色トナーのみが使用されている場合は（ステップＳ６０８；Ｎｏ）、ＣＰＵ１１はプリンタ部２３による印刷動作を禁止し（ステップＳ６０９）、表示部１７に保存確認画面を表示してユーザに原稿の読取画像を複合機１０内に保存するか否かを確認する（ステップＳ６１０）。保存しない指示を受けた場合は（ステップＳ６１０；Ｎｏ）、ＣＰＵ１１はＲＡＭ１４に一時保存していた第１読取画像、第２読取画像、差分画像、および識別情報を消去し（ステップＳ６０６）、メインルーチンに戻る（Ｒｅｔｕｒｎ〜Ｅｎｄ）。保存する指示を受けた場合は（ステップＳ６１０；Ｙｅｓ）、ステップＳ６１５へ移行する。
【０１６２】
消色トナーの残量が所定量以下で（ステップＳ６０３；Ｎｏ）、原稿の画像に通常トナーと消色トナーが使用されている場合は（ステップＳ６０８；Ｙｅｓ）、ＣＰＵ１１は表示部１７に印刷確認画面を表示してユーザに原稿の読取画像を印刷するか否かを確認する（ステップＳ６１１）。印刷しない指示を受けた場合は（ステップＳ６１１；Ｎｏ）、ステップＳ６１０へ移行する。印刷する指示を受けた場合は（ステップＳ６１１；Ｙｅｓ）、ＣＰＵ１１は差分画像を所定画像に置き換え、この所定画像と第２読取画像とをプリンタ部２３により通常トナーで記録紙に印刷して出力する（ステップＳ６１２）。
【０１６３】
図１６は、原稿のコピーで消色トナーの画像領域が所定画像に置き換えられた一例（所定画像の一例）を示す図である。所定画像は、たとえば、空白、網掛け、注意喚起マーク、注意喚起文字情報などである。
【０１６４】
また印刷指示を受けた場合は、ＣＰＵ１１は表示部１７に保存確認画面を表示してユーザに原稿の読取画像を複合機１０内に保存するか否かを確認する（ステップＳ６１３）。保存しない指示を受けた場合は（ステップＳ６１３；Ｎｏ）、ＣＰＵ１１はＲＡＭ１４に一時保存していた第１読取画像、第２読取画像、差分画像、および識別情報を消去し（ステップＳ６０６）、メインルーチンに戻る（Ｒｅｔｕｒｎ〜Ｅｎｄ）。保存する指示を受けた場合は（ステップＳ６１３；Ｙｅｓ）、ステップＳ６１６へ移行する。
【０１６５】
出力種別が外部転送で（ステップＳ６０２；外部転送）、転送先が他の複合機１０以外の場合は（ステップＳ６１７；ＦＡＸなど）、ＣＰＵ１１は転送動作を禁止し（ステップＳ６１８）、表示部１７に保存確認画面を表示してユーザに原稿の読取画像を複合機１０内に保存するか否かを確認する（ステップＳ６１９）。保存しない指示を受けた場合は（ステップＳ６１９；Ｎｏ）、ＣＰＵ１１はＲＡＭ１４に一時保存していた第１読取画像、第２読取画像、差分画像、および識別情報を消去し（ステップＳ６０６）、メインルーチンに戻る（Ｒｅｔｕｒｎ〜Ｅｎｄ）。保存する指示を受けた場合で（ステップＳ６１９；Ｙｅｓ）、原稿の画像に消色トナーのみが使用されている場合は（ステップＳ６２０；Ｎｏ）、ステップＳ６１５へ移行する。保存する指示を受けた場合で（ステップＳ６１９；Ｙｅｓ）、原稿の画像に通常トナーと消色トナーが使用されている場合は（ステップＳ６２０；Ｙｅｓ）、ステップＳ６１６へ移行する。
【０１６６】
出力種別が外部転送で（ステップＳ６０２；外部転送）、転送先が他の複合機１０の場合は（ステップＳ６１７；ＭＦＰ）、転送先の複合機１０に消色トナーによる印刷が可能であるか否かを問い合わせる（ステップＳ６２１）。
【０１６７】
印刷不可の応答を受けた場合は（ステップＳ６２１；Ｎｏ）、ステップＳ６１８へ移行する。印刷可能の応答を受けた場合で（ステップＳ６２１；Ｙｅｓ）、原稿の画像に消色トナーのみが使用されている場合は（ステップＳ６２２；Ｎｏ）、第１読取画像を原稿の読取画像として、第１読取画像に識別情報を関連付けて転送先の複合機１０に転送する（ステップＳ６２３）。転送を終えると、ＲＡＭ１４に一時保存していた第１読取画像、第２読取画像、差分画像、および識別情報を消去し（ステップＳ６０６）、メインルーチンに戻る（Ｒｅｔｕｒｎ〜Ｅｎｄ）。
【０１６８】
印刷可能の応答を受けた場合で（ステップＳ６２１；Ｙｅｓ）、原稿の画像に通常トナーと消色トナーが使用されている場合は（ステップＳ６２２；Ｙｅｓ）、第２読取画像と差分画像を原稿の読取画像として、差分画像に識別情報を関連付けて第２読取画像と共に転送先の複合機１０に転送する（ステップＳ６２４）。転送を終えると、ＲＡＭ１４に一時保存していた第１読取画像、第２読取画像、差分画像、および識別情報を消去し（ステップＳ６０６）、メインルーチンに戻る（Ｒｅｔｕｒｎ〜Ｅｎｄ）。
【０１６９】
転送先の複合機１０は、１つの画像（第１読取画像）と識別情報を受信した場合は、識別情報があることで消色トナーを選択し、受信した画像を消色トナーで記録紙に印刷して出力する。２つの画像（第２読取画像および差分画像）と識別情報を受信した場合は、識別情報がない画像（第２読取画像）を通常トナーで、識別情報がある画像（差分画像）を消色トナーで記録紙（１枚の記録紙内）に印刷して出力する。
【０１７０】
図１７および図１８は、複合機１０内の保存画像を出力する場合の制御を示す流れ図である。ここでは、図１０のステップＳ２１０、図１２のステップＳ４１２、図１４のステップＳ５０８、図１５のステップＳ６１５およびステップＳ６１６で保存された各画像を出力する場合の制御をこれらの図にまとめて示しており、まとめて説明する。
【０１７１】
複合機１０では、表示部１７および操作部１８を通じて、出力する保存画像が選択され、出力種別が選択されて開始指示（スタートボタン押下）を受けると（ステップＳ７０１）、ＣＰＵ１１は選択された保存画像に識別情報が関連付けられているか否かを確認する（ステップＳ７０２）。識別情報が関連付けられていない場合は（ステップＳ７０３；Ｎｏ（原稿の読取時は通常トナー使用と判断））、ＣＰＵ１１は出力種別に応じた出力動作を行う。
【０１７２】
出力種別が印刷の場合は（ステップＳ７０４；印刷）、選択された保存画像をプリンタ部２３により通常トナーで記録紙に印刷して出力し（ステップＳ７０５）、本保存画像に対する出力を終了する（Ｅｎｄ）。出力種別が外部転送の場合は（ステップＳ７０４；外部転送）、選択された保存画像を外部装置に転送し（ステップＳ７０６）、本保存画像に対する出力を終了する（Ｅｎｄ）。
【０１７３】
選択された保存画像に識別情報が関連付けられている場合は（ステップＳ７０３；Ｙｅｓ（原稿の読取時は消色トナー使用と判断））、消色トナー用の動作変更制御をサブルーチンで行う（ステップＳ７０７）。
【０１７４】
図１８は図１７のステップＳ７０７に対応するサブルーチンを示している。
【０１７５】
出力種別が印刷の場合は（ステップＳ８０１；印刷）、ＣＰＵ１１は消色トナー残量検知部２６による消色トナーの残量検知を確認する（ステップＳ８０２）。消色トナーの残量が所定量を超えている場合は（ステップＳ８０２；Ｙｅｓ）、消色トナーを使用した印刷を行う。
【０１７６】
保存されている画像が１つの場合は（ステップＳ８０３；Ｙｅｓ（原稿の読取時は消色トナーのみ使用と判断））、ＣＰＵ１１は選択された保存画像（原稿の読取画像として保存されている第１読取画像）をプリンタ部２３により消色トナーで記録紙に印刷して出力する（ステップＳ８０４）。印刷を終えると、ハードディスク装置１６に保存されているその画像と識別情報を消去し（ステップＳ８０５）、メインルーチンに戻る（Ｒｅｔｕｒｎ〜Ｅｎｄ）。
【０１７７】
保存されている画像が２つの場合は（ステップＳ８０３；Ｎｏ（原稿の読取時は通常トナーおよび消色トナー使用と判断））、ＣＰＵ１１は選択された保存画像（原稿の読取画像として保存されている第２読取画像および差分画像）をプリンタ部２３により識別情報がない画像（第２読取画像）を通常トナーで、識別情報がある画像（差分画像）を消色トナーで記録紙（１枚の記録紙内）に印刷して出力する（ステップＳ８０６）。印刷を終えると、ハードディスク装置１６に保存されているその２つの画像と識別情報を消去し（ステップＳ８０５）、メインルーチンに戻る（Ｒｅｔｕｒｎ〜Ｅｎｄ）。
【０１７８】
消色トナーの残量が所定量以下で（ステップＳ８０２；Ｎｏ）、保存されている画像が１つの場合は（ステップＳ８０７；Ｙｅｓ（原稿の読取時は消色トナーのみ使用と判断））、ＣＰＵ１１はプリンタ部２３による印刷動作を禁止し（ステップＳ８０８）、メインルーチンに戻る（Ｒｅｔｕｒｎ〜Ｅｎｄ）。
【０１７９】
消色トナーの残量が所定量以下で（ステップＳ８０２；Ｎｏ）、保存されている画像が２つの場合は（ステップＳ８０７；Ｎｏ（原稿の読取時は通常トナーおよび消色トナー使用と判断））、ＣＰＵ１１は表示部１７に印刷確認画面を表示してユーザに選択した保存画像を印刷するか否かを確認する（ステップＳ８０９）。印刷しない指示を受けた場合は（ステップＳ８０９；Ｎｏ）、メインルーチンに戻る（Ｒｅｔｕｒｎ〜Ｅｎｄ）。印刷する指示を受けた場合は（ステップＳ８０９；Ｙｅｓ）、ＣＰＵ１１は差分画像を所定画像に置き換え、この所定画像と第２読取画像とをプリンタ部２３により通常トナーで記録紙に印刷して出力し（ステップＳ８１０）、メインルーチンに戻る（Ｒｅｔｕｒｎ〜Ｅｎｄ）。
【０１８０】
出力種別が外部転送で（ステップＳ８０１；外部転送）、転送先が他の複合機１０以外の場合は（ステップＳ８１１；ＦＡＸなど）、ＣＰＵ１１は転送動作を禁止し（ステップＳ８１２）、メインルーチンに戻る（Ｒｅｔｕｒｎ〜Ｅｎｄ）。
【０１８１】
出力種別が外部転送で（ステップＳ８０１；外部転送）、転送先が他の複合機１０の場合は（ステップＳ８１１；ＭＦＰ）、転送先の複合機１０に消色トナーによる印刷が可能であるか否かを問い合わせる（ステップＳ８１３）。印刷不可の応答を受けた場合は（ステップＳ８１３；Ｎｏ）、ＣＰＵ１１は転送動作を禁止し（ステップＳ８１２）、メインルーチンに戻る（Ｒｅｔｕｒｎ〜Ｅｎｄ）。
【０１８２】
印刷可能の応答を受けた場合で（ステップＳ８１３；Ｙｅｓ）、保存されている画像が１つの場合は（ステップＳ８１４；Ｙｅｓ（原稿の読取時は消色トナーのみ使用と判断））、ＣＰＵ１１は選択された保存画像（原稿の読取画像として保存されている第１読取画像）に識別情報を関連付けて転送先の複合機１０に転送する（ステップＳ８１５）。転送を終えると、ハードディスク装置１６に保存されているその画像と識別情報を消去し（ステップＳ８１６）、メインルーチンに戻る（Ｒｅｔｕｒｎ〜Ｅｎｄ）。
【０１８３】
印刷可能の応答を受けた場合で（ステップＳ８１３；Ｙｅｓ）、保存されている画像が２つの場合は（ステップＳ８１４；Ｎｏ（原稿の読取時は通常トナーおよび消色トナー使用と判断））、ＣＰＵ１１は選択された保存画像（原稿の読取画像として保存されている第２読取画像および差分画像）のうち、元々識別情報が関連付けられている画像（差分画像）に識別情報を関連付けてもう１つの画像（第２読取画像）と共に転送先の複合機１０に転送する（ステップＳ８１７）。転送を終えると、ハードディスク装置１６に保存されているその２つの画像と識別情報を消去し（ステップＳ８１６）、メインルーチンに戻る（Ｒｅｔｕｒｎ〜Ｅｎｄ）。この場合も転送先の複合機１０は、図１５で説明した印刷動作を行う。
【０１８４】
（スキャナ部の変形例）
図１９〜図２１に、複合機１０におけるスキャナ部２２の変形例を３つ例示する。
【０１８５】
図１９に示す変形例１に係るスキャナ部２２ｂは、読取装置３２ｂの構成が図２に示したスキャナ部２２ａと異なっている。スキャナ部２２ｂにおける読取装置３２ｂでは、ラインイメージセンサ３５が保持部材３８内ではなく保持部材３８の側方に配置されている。ラインイメージセンサ３５は、たとえばスキャナ部２２ｂ内のフレームなどに取り付けられて保持部材３８の側方に配置されている。保持部材３８内には、ラインイメージセンサ３５に替えて、原稿Ｍからの反射光Ｌｂをラインイメージセンサ３５に導くミラー３９が設けられている。
【０１８６】
変形例１に係るスキャナ部２２ｂも図２に示したスキャナ部２２ａと同じく、読取装置３２ｂを移動させなくても、照明光Ｌａと特定波長光ＩＲとをラインイメージセンサ３５による読取範囲Ｓ、すなわち、プラテンガラス３１上の原稿Ｍにおける同一ライン上（同一走査線上）に照射できる構成となっている。さらにスキャナ部２２ａと同じく、原稿の全領域の第１読取画像と第２読取画像を取得する場合は、１回の走査読み取りまたは２回に分けた走査読み取りの何れでも取得できる構成となっている。このスキャナ部２２ｂを備えた複合機１０においても、スキャナ部２２ａを備えた複合機１０と同じ動作変更の制御を行うことができる（図１０〜図１８参照）。
【０１８７】
図２０に示す変形例２に係るスキャナ部２２ｃは、読取装置３２ｃにおける消去用光源３６と反射板３７の配置が図２に示したスキャナ部２２ａと異なっている。スキャナ部２２ｃにおける読取装置３２ｃでは、消去用光源３６による特定波長光ＩＲをラインイメージセンサ３５による読取範囲Ｓとは異なる位置へ向けて照射する構成となっている。本変形例に係る構成では、消去用光源３６による照射光を読取範囲Ｓに合わせ込む必要がなく、消去用光源３６や反射板３７に高い取り付け精度が求められないので組み立てが容易になる。
【０１８８】
スキャナ部２２ｃを備えた複合機１０では、たとえば、読取装置３２ｃの往復移動による２回の走査読み取りで第１読取画像と第２読取画像を取得する。図２０の例では、読取用光源３４を点灯させて読取装置３２ｃを図中の右側から左側へ移動させ１回目の走査読み取りを行い、第１読取画像を取得する。次に消去用光源３６および読取用光源３４を点灯させて読取装置３２ｃを図中の左側から右側へ移動させ２回目の走査読み取りを行い、第２読取画像を取得する。
【０１８９】
原稿画像の一部領域で判断を行う場合には、２回目の走査読み取りを開始しその一部領域から第２読取画像を取得した時点で判断を行い、判断結果に応じて図１０〜図１２で説明した動作変更の制御を行うことができる。原稿画像の全領域で判断する場合は、２回目の走査読み取りにてその全領域から第２読取画像を取得し読取動作を完了させ、判断結果に応じて図１４および図１５で説明した動作変更の制御を行うことができる。また何れの場合も、図１６および図１７で説明した複合機１０内の保存画像に係る出力制御を行うことができる。
【０１９０】
図２１に示す変形例３に係るスキャナ部２２ｄは、シートスルー型（原稿搬送型／ＡＤＦ（Auto Document Feeder）型）スキャナとして構成されており、原稿Ｍを自動搬送して読み取りを行う。スキャナ部２２ｄは、原稿Ｍの給紙部となる原稿給紙トレイ４１と、原稿が搬送される搬送経路４２と、原稿を搬送経路４２を通じて搬送する搬送機構４３と、原稿の排紙部となる原稿排紙トレイ４４と、搬送経路４２の途中に上流側から順に配設された第１読取部４５、消去用光源４６、第２読取部４７とを備えている。第１読取部４５と第２読取部４７は、たとえばコンタクトイメージセンサなどで構成されており、コンタクトガラスと、光源（読取用光源）と、ラインイメージセンサなどを備えている。
【０１９１】
搬送機構４３は、原稿Ｍを搬送するための複数のローラと、各ローラを回転駆動する複数のモータ（図示省略）などで構成されている。ローラの詳細は、原稿給紙トレイ４１に載置された原稿Ｍの表面先端部に接触回転して最上の原稿Ｍから１枚ずつ分離して送り出す送り出しローラ４３ａと、搬送経路４２における第１読取部４５の上流側に配設され、送り出しローラ４３ａによって送り出された原稿Ｍを回転挟持して搬送経路４２の下流側へ搬送する複数対の搬送ローラ４３ｂと、搬送経路４２の下流側に配設され、搬送ローラ４３ｂによって搬送経路４２の下流側まで搬送された原稿Ｍを回転挟持して排紙トレイ４４へ排出する一対の排出ローラ４３ｃと、第１読取部４５に対応して配設され、原稿Ｍの裏面に接触回転しつつ原稿Ｍの表面を第１読取部４５のコンタクトガラスに密着させる第１読取ローラ４３ｄと、第２読取部４７に対応して配設され、原稿Ｍの裏面に接触回転しつつ原稿Ｍの表面を第２読取部４７のコンタクトガラスに密着させる第２読取ローラ４３ｅなどである。
【０１９２】
第１読取部４５は、搬送経路４２における所定位置に配置され、スキャナ部２２ｄの底板下面に取り付けられている。第１読取部４５が取り付けられている底板の上記所定位置には、搬送経路４２（原稿Ｍの搬送方向）と直交する方向（図２１では紙面の表裏方向）に沿った細長い開口形状のスリット４８が形成されている。第１読取部４５は、搬送経路４２を搬送される原稿Ｍに対し、スリット４８を通じて内蔵の光源から読取範囲Ｓ１（第１読取範囲）へ向けて照明光を照射し、原稿Ｍにおける読取範囲Ｓ１からの反射光を内蔵のラインイメージセンサにより受光して原稿Ｍをライン毎に読み取る。
【０１９３】
消去用光源４６は、第１読取部４５を通過して搬送経路４２を搬送される原稿Ｍに対し、特定波長光（近赤外線）を照射する。
【０１９４】
第２読取部４７は、第１読取部４５および消去用光源４６を通過して搬送経路４２を搬送される原稿Ｍに対し、内蔵の光源から読取範囲Ｓ２（第２読取範囲）へ向けて照明光を照射し、原稿Ｍにおける読取範囲Ｓ２からの反射光を内蔵のラインイメージセンサにより受光して原稿Ｍをライン毎に読み取る。
【０１９５】
スキャナ部２２ｄを備えた複合機１０では、原稿給紙トレイ４１に載置された原稿Ｍを搬送機構４３により搬送経路４２に沿って自動搬送し排紙トレイ４４へ排出するまでの間に、原稿Ｍを第１読取部４５により読み取って第１読取画像を取得し、第１読取部４５を通過した原稿Ｍに消去用光源４６により特定波長光を照射し、消去用光源４６を通過した原稿Ｍを第２読取部４７により読み取って第２読取画像を取得する。
【０１９６】
原稿画像の一部領域で判断を行う場合には、原稿Ｍの先端側が第２読取部４７に到達しその一部領域から第２読取画像を取得した時点で判断を行い、判断結果に応じて図１０〜図１２で説明した動作変更の制御を行うことができる。原稿画像の全領域で判断する場合は、原稿Ｍを、第２読取部４７を通過させてその全領域から第２読取画像を取得し、排紙トレイ４４に排出して読取動作を完了させ、判断結果に応じて図１４および図１５で説明した動作変更の制御を行うことができる。また何れの場合も、図１６および図１７で説明した複合機１０内の保存画像に係る出力制御を行うことができる。
【０１９７】
スキャナ部２２の構成は、例示した４タイプのスキャナ部２２ａ〜２２ｄに限らない。たとえば、図２１に示したシートスルー型のスキャナ部２２ｄに図２に示した読取装置３２ａを組み込む、または図１９に示した読取装置３２ｂおよびこれに付随するラインイメージセンサ３５を組み込むようにしてもよい。この場合は、第１読取部４５に替えて読取装置３２ａ、または読取装置３２ｂおよびラインイメージセンサ３５を組み込み、消去用光源４６および第２読取部４７を削除するなどの構成が可能である。
【０１９８】
本構成によるシートスルー型のスキャナ部では、読取装置３２ａ／３２ｂから照明光Ｌａと特定波長光ＩＲとをラインイメージセンサ３５による読取範囲Ｓ、すなわち、搬送経路４２を搬送される原稿Ｍにおける同一ライン上（同一走査線上）に照射することができる。また、本構成のシートスルー型のスキャナ部を図２や図１９に示したフラッドベット型のスキャナ部２２ａ／２２ｂと組み合わせてもよい。
【０１９９】
このように、本実施形態に係る複合機１０では、原稿の画像に消色トナーが使用されていると判断した場合は、読取画像の出力を禁止したり制限したりするなど、出力動作を変更する。この判断結果を一部領域の読み取りで得た場合は、原稿の読み取りを停止して出力を禁止する、あるいは、判断後は不要となる第２読取画像の読み取りを停止し原稿（第１読取画像）の読み取りを完了させ出力を制限するなど、読取動作と出力動作を共に変更する。また、一部領域の読み取りで消色トナーが使用されていないとの判断結果を得た場合は、判断後は不要となる特定波長光の照射と第２読取画像の読み取りを停止し原稿（第１読取画像）の読み取りを完了させ出力を変更せずに行う（読取動作のみの変更）。
【０２００】
これにより、消色トナーで印刷されている原稿内の情報（コンテンツ）の漏洩を抑制することができる。通常トナーと消色トナーを併用して印刷されている原稿に対しては、原稿画像における消色トナーの領域は消色トナーを使用して印刷（複写）する、または、所定画像に置き換え通常トナーを使用して印刷することで、同様に原稿内の情報の漏洩を抑制することができる。
【０２０１】
特に本実施形態では、読取動作中に原稿の画像に消色トナーが使用されていると判断した場合は第２読取画像の読み取りを停止し（制御１ａ参照）、読取動作中に原稿の画像に通常トナーが使用されていると判断した場合は特定波長光の照射と第２読取画像の読み取りを停止することで（制御１ｂ参照）、原稿の読み取り速度を高めることができる。これにより、原稿読み取りのパフォーマンス（生産性）を向上することができる。
【０２０２】
また、原稿の画像に消色トナーが使用されていると判断した場合は、複合機１０内に一時的または継続的に保存する読取画像にそのことを示す識別情報を関連付けて記憶する（制御２ａ参照）。複合機１０内に一時的または継続的に保存された画像（読取画像）を出力する際に、識別情報が関連付けられている場合は消色トナーを使用してその画像を印刷する印刷動作に制限する（制御２ｂ参照）。詳細には、出力種別が印刷の場合は、ユーザ設定にかかわらず強制的に消色トナーを選択して出力する。出力種別が他の装置への転送の場合は、転送先装置の能力を確認し、消色トナーによる印刷が実行可能であれば転送を許可し、実行不可であれば転送を禁止する。出力種別が外部記憶装置（ＵＳＢメモリなど）への転送の場合は転送を禁止する。また、印刷完了後または転送完了後に、保存されている画像（読取画像）と識別情報を消去する（制御２ｃ参照）。
【０２０３】
これにより、消色トナーが使用されている原稿のコンテンツ情報は、転送先（移動先）が紙媒体であるか記憶媒体であるかにかかわらず唯一となり、二つ以上の複製物（原稿のコンテンツ情報保全とそのコンテンツ情報の複製物）を作り出すことができない。すなわち、紙媒体の場合はコンテンツ情報が転送元の原稿から転送先の紙媒体へ移動するだけであり、記憶媒体の場合はコンテンツ情報が転送できず原稿に残る。したがって、情報の漏洩を防止できる。
【０２０４】
また、原稿の画像に消色トナーが使用されていると判断した場合は出力動作を禁止する（制御３ａ参照）。これにより、消色トナーで印刷されている機密文書の複製が禁止され、セキュリティを向上できる。読取動作中に原稿の画像に消色トナーが使用されていると判断した場合は読取動作を停止しかつ出力動作を禁止する（制御３ｂ参照）。これにより、冗長な読取動作が停止されると共に、消色トナーで印刷されている機密文書の複製が禁止され、セキュリティを向上できる。
【０２０５】
消色トナーの残量が所定量以下の場合は上記の禁止制御を行う（制御３ｃ参照）。消色トナーの残量が所定量以下の場合に消色トナーを使用して記録紙に印刷を行うと、記録紙への消色トナーの乗りが悪くなり、かすれが発生した見栄えの悪い印刷物が生成されるため、上記の禁止制御によって印刷を行わないようにする。このような見栄えの悪い印刷物を生成しないようにすることで、記録紙や消色トナー、定着で必要な熱エネルギー（電力）などの印刷に要する資源の無駄な消費を抑えることができ、省エネルギー効果も得られる。また読取動作を途中で停止する場合は（図１２のステップＳ４０８）、読取動作に係る消費電力が抑えられて省エネルギー効果が高められる。
【０２０６】
通常トナーが使用されている画像領域と消色トナーが使用されている画像領域とが混在している原稿の複写では、消色トナーの残量が所定量以下の場合に、消色トナーが使用されている画像領域は所定画像に置き換え通常トナーを使用して記録紙に印刷する（図１５のステップＳ６１２）。これにより、原稿内の消色トナーが使用されている画像領域を、そのまま消色トナーを使用して記録紙に印刷（複写）した場合に生じる、その印刷物内の消色トナーを使用して印刷された画像領域の見栄えの悪化を回避しつつ、原稿内の通常トナーが使用されている画像領域の情報は、通常トナーを使用して記録紙に印刷（複写）しユーザに提供することができる。
【０２０７】
消色トナーが使用されている原稿の複写では、原稿の読み取りが完了してから印刷（消色トナーを使用した印刷）が開始される。これにより、消色トナーが使用されている原稿を保全しつつその複製が印刷出力されることを防止できる。
【０２０８】
消色トナーが使用されている原稿の複写において、複写した記録紙の上縁部と下縁部に消色トナーでダミー画像を印刷する場合は（図１３参照）、この記録紙（原稿）に対する複写では記録紙内のコンテンツを読み取る前に、ダミー画像を読み取って取得した第１読取画像と、この第１読取画像に対して変化（消去）している第２読取画像とに基づいて消色トナーが使用されていると判断される。これにより、コンテンツの一部が消去されずにこの記録紙の読取動作や出力動作を変更することができ、記録紙内の情報の漏洩を抑制することができる。仮にダミー画像が隠されたり消されたりした場合でも、コンテンツを読み取って判断できるため、正確な判断結果が得られ、記録紙内の情報の漏洩を確実に抑制することができる。
【０２０９】
［第２の実施形態］
複合機１０のスキャナ部２２（２２ａ）で消去読取モードにより原稿を読み取る場合には、原稿の画像に消色トナーが使用されていると、読取時にその画像における特定波長光が照射された領域は消去されることになる。読み取り後の原稿の画像に大きな消去領域が発生した場合には、再読み取りを行っても元の画像は取得できない。このように、消色トナーを使用して画像が印刷されている原稿は、再読み取りできなくなる可能性があるため、１度の読み取りで良好（正常）な読取画像を取得する必要がある。
【０２１０】
たとえば、図２に示したスキャナ部２２ａの場合では、消去読取モードによる読取動作中にプラテンガラス３１上の原稿が位置ずれを起こすと、読取画像にはブレが生じてしまう。また、読取動作中にプラテンガラス３１上から原稿が取り出されると、読取画像は原稿の読み取り済み領域までの中途半端な画像になってしまう。
【０２１１】
第２の実施形態では、この読取動作中におけるプラテンガラス３１上の原稿の位置ずれや取り出しを防止する技術について説明する。
【０２１２】
第２の実施形態に係る複合機１０のスキャナ部２２ａは（図２参照）、プラテンガラス３１にセット（載置）された原稿Ｍを取り出し可能に保持する第１保持状態と、この原稿Ｍを取り出し不能に保持する第２保持状態とに切り替え可能な保持部を備えている。保持部は、たとえばプラテンカバーと、このプラテンカバーのロックおよび解除を行うロック部を備えている。
【０２１３】
プラテンカバーは、たとえば一端部がスキャナ部２２ａの本体を構成する筺体など上部に回動可能に支持されており、この支持部を支点に、プラテンガラス３１の上面を覆う閉塞位置と、ラテンガラス３１の上面を開放する開放位置とに回動変移可能とされている。プラテンカバーが開放されていると、プラテンガラス３１上への原稿Ｍのセットやプラテンガラス３１上からの原稿Ｍの取り出しが可能となる。プラテンガラス３１上に原稿Ｍをセットしてプラテンカバーを閉塞すると、プラテンガラス３１上の原稿Ｍはプラテンカバーに覆われて押さえられる（保持される）ことになる。
【０２１４】
ロック部は、閉塞位置にあるプラテンカバーをその位置にロックおよび解除する構成とされている。ロック部の構成は、電動式の機械的なロック機構でもよく（電動ロック）、電磁的なロック機構でもよい（電磁ロック）。このロック部は、閉塞位置にあるプラテンカバーのロックおよび解除をＣＰＵ１１に制御されて行う。プラテンカバーは、プラテンガラス３１の上面を覆う閉塞位置でロック部によりロックされると開放できなくなり、ロック解除されると開放できるようになる。
【０２１５】
上記のプラテンカバーとロック部を備えた保持部では、閉塞位置にあるプラテンカバーがロック部によってロックされていない状態（ロック解除状態）が、プラテンガラス３１にセットされた原稿Ｍを取り出し可能に保持する第１保持状態となる。プラテンカバーがロック部によってロックされている状態（ロック状態）が、プラテンガラス３１にセットされた原稿Ｍを取り出し不能に保持する第２保持状態となる。
【０２１６】
なお、図１９に示したスキャナ部２２ｂや図２０に示したスキャナ部２２ｃもスキャナ部２２ａと同じフラッドベット型である。これのスキャナ部２２ｂ／２２ｃにも、上記のプラテンカバーとロック部を備えた保持部を設けることができる。また、自動原稿搬送装置（ＡＤＦ）がプラテンカバーの機能を兼ねるスキャナ部においても、その自動原稿搬送装置と、自動原稿搬送装置のロックおよび解除を行うロック部を備えた保持部を設けることが可能である。
【０２１７】
次に、本実施形態に係る複合機１０によるプラテンカバーロック動作について説明する。
【０２１８】
図２２は、複合機１０の表示部１７に表示されたプラテンカバーロック設定画面７０を示す図である。本画面は管理者設定画面の一部として表示される。なお、本画面はユーザ設定画面の一部として表示されるようにしてもよい。
【０２１９】
複合機１０は、プラテンカバーのロック制御モードとして、ロック制御ＯＦＦモードと、ロック制御ＯＮ（ＴＹＰＥ１）モードと、ロック制御ＯＮ（ＴＹＰＥ２）モードとを備えている。
【０２２０】
ロック制御ＯＦＦモードは、閉塞位置にあるプラテンカバーにロックをかけない制御を行うロック制御モードである。
【０２２１】
ロック制御ＯＮ（ＴＹＰＥ１）モードは、閉塞位置にあるプラテンカバーに対し、読取動作の開始のタイミングでロックをかけ、読取動作の終了のタイミングでロックを解除する制御を行うロック制御モードである。このモードでは、読取動作が完了して終了した場合と、読取動作が停止（途中停止）して終了した場合にロックが解除される。
【０２２２】
原稿の画像を最後まで読み取ってからその画像に使用されているトナー種別と混在の有無を判断する動作には（図１４参照）、このロック制御ＯＮ（ＴＹＰＥ１）モードを組み合わせることが好ましい。
【０２２３】
ロック制御ＯＮ（ＴＹＰＥ２）モードは、閉塞位置にあるプラテンカバーに対し、ロックをかけずに読取動作を開始する。読取動作中に原稿の画像に消色トナーが使用されていると判断し、読取動作を停止せずに完了させる場合は、そのタイミングでロックをかけ、読取動作の完了のタイミングでロックを解除する制御を行うロック制御モードである。
【０２２４】
原稿の画像を一部読み取ってその画像に使用されているトナー種別を判断する動作には（図１０参照）、このロック制御ＯＮ（ＴＹＰＥ２）モードを組み合わせるようにしてもよい。
【０２２５】
管理者（またはユーザ）は、プラテンカバーロック設定画面７０に表示されているロック制御ＯＦＦ選択ボタン７１またはロック制御ＯＮ１選択ボタン７２またはロック制御ＯＮ２選択ボタン７３を押下していずれかのロック制御モードを選択し、同画面に表示されている確定ボタン７４を押下して、選択したロック制御モードの設定（確定）を行うことができる。プラテンカバーロック設定画面７０を通じてロック制御の設定が行われると、不揮発メモリ１５にロック制御の設定値が保存される。なお、デフォルトの設定値はロック制御ＯＦＦモードとなっている。
【０２２６】
図２３は、複合機１０によるプラテンカバーロック動作を示す流れ図である。詳細には、本図は、第１の実施形態で説明した図１０〜図１２、および図１４の主要なステップを抜き出し、そのステップにプラテンカバーロック動作に係るステップを加えたものとして示している。以下では、まず各ステップと本動作の流れを説明してから、第１の実施形態における上記の主要なステップと対応する流れを説明する。
【０２２７】
複合機１０では、スキャナ部２２（２２ａ）のプラテンガラス３１上に原稿がセットされ、プラテンカバーが閉じられてから読み取りの開始指示（スタートボタン押下）を受けると（ステップＳ９０１）、ＣＰＵ１１は不揮発メモリ１５に保存されているロック制御モードの設定値を確認する。設定値がロック制御ＯＮ（ＴＹＰＥ１）モードである場合には（ステップＳ９０２；Ｙｅｓ）、ＣＰＵ１１はスキャナ部２２のロック部を制御してプラテンカバーにロックをかけ（ステップＳ９０３）、スキャナ部２２を動作させて原稿の読み取りを開始する（ステップＳ９０４）。読取動作中は、プラテンカバーのロック状態を継続する。
【０２２８】
設定値がロック制御ＯＮ（ＴＹＰＥ１）モードでない場合には（ステップＳ９０２；Ｎｏ）、ＣＰＵ１１はプラテンカバーにロックをかけずにスキャナ部２２を動作させて原稿の読み取りを開始する（ステップＳ９０４）。
【０２２９】
ＣＰＵ１１は、読取動作中に原稿の画像に通常トナーが使用されていると判断した場合は（ステップＳ９０５；Ｎｏ）、スキャナ部２２を制御して原稿を最後まで読み取り、読取動作を完了する（ステップＳ９０９）。読取動作中に原稿の画像に消色トナーが使用されていると判断し（ステップＳ９０５；Ｙｅｓ）、読取動作を停止する場合は（ステップＳ９０６；Ｙｅｓ）、ＣＰＵ１１はスキャナ部２２を制御して読取動作を停止し、ステップＳ９１０へ移行する。
【０２３０】
読取動作中に、原稿の画像に消色トナーが使用されていると判断し（ステップＳ９０５；Ｙｅｓ）、読取動作を停止せず（ステップＳ９０６；Ｎｏ）、不揮発メモリ１５に保存されているロック制御モードの設定値がロック制御ＯＮ（ＴＹＰＥ２）モードでない場合には（ステップＳ９０７；Ｎｏ）、ＣＰＵ１１はスキャナ部２２を制御して原稿を最後まで読み取り、読取動作を完了する（ステップＳ９０９）。不揮発メモリ１５に保存されているロック制御モードの設定値がロック制御ＯＮ（ＴＹＰＥ２）モードである場合には（ステップＳ９０７；Ｙｅｓ）、ＣＰＵ１１はスキャナ部２２のロック部を制御してプラテンカバーにロックをかけ（ステップＳ９０８）、以降の読取動作中はプラテンカバーのロック状態を継続する。そしてＣＰＵ１１は、スキャナ部２２を制御して原稿を最後まで読み取り、読取動作を完了する（ステップＳ９０９）。
【０２３１】
ＣＰＵ１１は、読取動作を完了すると（ステップＳ９０９の場合）、または、読取動作を停止すると（ステップＳ９０６；Ｎｏの場合）、プラテンカバーにロックがかけられている場合は（ステップＳ９１０；Ｙｅｓ）、スキャナ部２２のロック部を制御してプラテンカバーのロックを解除する（ステップＳ９１１〜Ｅｎｄ）。プラテンカバーにロックがかけられていない場合は（ステップＳ９１０；Ｎｏ）、そのロック解除状態を維持する（Ｅｎｄ）。
【０２３２】
以上が各ステップと本動作の流れである。この図２３に示したステップＳ９０１は、図１０のステップＳ２０１と図１４のステップＳ５０１に対応している。ステップＳ９０４は、図１０のステップＳ２０２と図１４のステップＳ５０２に対応している。したがって、ステップＳ９０１とステップＳ９０４は、図１０ではステップＳ２０１とステップＳ２０２の間に行い、図１４ではステップＳ５０１とステップＳ５０２の間に行うことになる。
【０２３３】
ステップＳ９０５（Ｎｏ）から直接ステップＳ９０９へ移行する流れは、図１０のステップＳ２０３からステップＳ２０７への流れに対応している。また、図１４のステップＳ５０３からステップＳ５０４（Ｙｅｓ）への流れにも実質的に対応している。この流れは、原稿の画像を最後まで読み取ってからその画像に使用されているトナー種別と混在の有無を判断する場合の流れであり、読取動作を途中で停止せず、読取動作中にプラテンカバーのロック制御を行わない場合の流れである。
【０２３４】
ステップＳ９０５（Ｙｅｓ）からステップＳ９０６へ移行し読取動作停止（Ｙｅｓ）となる流れは、図１０のステップＳ２０３からステップＳ２０５を経由してステップＳ２１２へ移行し、図１１に示した消色トナー用の動作変更制御（第１パターン）を行う流れに対応している。また、同じくステップＳ２１２へ移行し、図１２に示した消色トナー用の動作変更制御（第２パターン）におけるステップＳ４０１からステップＳ４０８への流れと、ステップＳ４０１からステップＳ４１４への流れに対応している。
【０２３５】
ステップＳ９０６（Ｎｏ）からステップＳ９０９へ移行する流れは、図１２に示した消色トナー用の動作変更制御（第２パターン）におけるステップＳ４０１からステップＳ４０５（Ｙｅｓ）への流れと、ステップＳ４０１からステップＳ４１１（Ｙｅｓ）への流れと、ステップＳ４０１からステップＳ４１８（Ｙｅｓ）への流れに対応している。この流れにおいて、ステップＳ９０７と、本ステップがＹｅｓの場合のステップＳ９０８とは、たとえばステップＳ４０１の前に行うようにする。
【０２３６】
また、ステップＳ９１０と、本ステップがＹｅｓの場合のステップＳ９１１とは、たとえば、図１０ではステップＳ２０７の後に行う。図１１ではステップＳ３０１の後に行う。図１２ではステップＳ４０５の後と、ステップＳ４０８の後と、ステップＳ４１１の後と、ステップＳ４１４の後と、ステップＳ４１８の後に行う。図１４ではステップＳ５０４の後に行う。
【０２３７】
なお、図１４に例示した動作では、原稿の画像を最後まで読み取ってからその画像に使用されているトナー種別と混在の有無を判断するため、読取動作中にプラテンカバーのロック制御を行わないことになる。ただし、この混在は、たとえば原稿の画像を一部領域読み取ってその一部領域の画像に使用されているトナー種別と混在の有無を判断する工程を一部領域毎に順次繰り返し、最終的に全領域を読み取るような動作によっても判断することができる。この動作であれば、読取動作中に原稿の画像に消色トナーが使用されていると判断した時点でプラテンカバーのロック制御（ステップＳ９０７と、本ステップがＹｅｓの場合のステップＳ９０８）を行うことも可能である。
【０２３８】
このように、本実施形態に係る複合機１０は、プラテンカバーのロックおよび解除を行うロック制御機能を備えている。プラテンカバーのロック制御ＯＮ（ＴＹＰＥ１）モードでは、読取動作の開始時に、スキャナ部２２（２２ａ）のプラテンガラス３１上にセットされた原稿を押さえているプラテンカバーにロックをかけ、原稿を取り出し不能に保持することにより、読取動作中にプラテンガラス３１上の原稿が位置ずれを起こしたり取り出されたりすることが防止され、１度の読み取りで良好（正常）な読取画像を取得できるようになる。ロック制御ＯＮ（ＴＹＰＥ２）モードでは、スキャナ部２２（２２ａ）のプラテンガラス３１上にセットされた原稿を押さえているプラテンカバーにロックをかけずに読取動作を開始する。読取動作中に原稿の画像に消色トナーが使用されていると判断した場合は、プラテンカバーにロックをかけ、原稿を取り出し不能に保持する。これにより、原稿を取り出し不能に保持する必要性が低い場合のその保持状態への切り替えを行わなくて済む。
【０２３９】
［第３の実施形態］
前述したように、消色トナーを使用して画像が印刷された原稿を複合機１０の消去読取モードで読み取ると、読取時に特定波長光が原稿に照射されて原稿上の画像が消去される。また、第１の実施形態における図１０のステップＳ２０３および図１４のステップＳ５０３で説明したように、読取時に取得した原稿の読取画像（第１読取画像および第２読取画像）はＲＡＭ１４（揮発性メモリ）に一時保存される。
【０２４０】
この場合、たとえばＲＡＭ１４に一時保存した読取画像の出力を完了する前（出力開始前や出力途中など）に、停電やコンセント抜けなどによって複合機１０に予期しない電源オフ（突発的な電源遮断）が発生すると、ＲＡＭ１４内の読取画像が消失してしまい、複合機１０を再起動してもその読取画像を出力できなくなる。そして、元の原稿からは既に画像が消去されているので、その画像は原稿上にも複合機１０内にも存在せず、失われることになる。また、通常トナーが使用されている画像領域と消色トナーが使用されている画像領域とが混在している原稿を読み取った場合も、元の原稿の画像からは消色トナーの画像領域が消去されており、ＲＡＭ１４に一時保存したその原稿の読取画像の出力を完了する前に電源オフが発生してその読取画像がＲＡＭ１４（複合機１０内）から消失すると、元の原稿の画像と同じ画像は失われることになる。
【０２４１】
第３の実施形態では、消去読取モードによる読み取りで画像が消去された原稿に対し、読取画像の出力完了前に複合機１０に予期しない電源オフが発生しても、元の原稿と同じ原稿を復元（再作成）できるようにする技術について説明する。概要は、原稿の読取画像をハードディスク装置１６に一時保存することで、電源オフによる消失を回避するものである。なお、読取画像を一時保存するためにハードディスク装置１６内に確保する記憶領域（所定領域）としては、たとえば、ハードディスク装置１６に割り当てられた仮想メモリ領域などを使用してもよい。
【０２４２】
第１の実施形態における図５（基本動作）と、図１０および図１４で説明したように、消去読取モードによる原稿の読取時に原稿内の画像に消色トナーが使用されているか否かの判断は、複合機１０のスキャナ部２２（２２ａ）にて原稿に特定波長光を照射する前に読み取った第１読取画像と照射した後に読み取った第２読取画像とを取得し、これらの読取画像を比較することで行う。比較した結果、両画像が同じであれば消色トナーは使用されておらず通常トナーが使用されていると判断し、両画像が異なっていれば消色トナーが使用されていると判断する。この比較は、生産性を優先させる場合は、図１０（および図１２）で説明したように原稿画像の一部領域で行い、通常トナーと消色トナーの混在を判別する場合は、図１４（および図１５）で説明したように原稿画像の全領域で行う。
【０２４３】
第３の実施形態に係る消去読取モードの動作も、生産性を優先させる動作と、トナー種混在を判別する動作とに分けて説明する。また、一般に不揮発性メモリ（ハードディスク装置１６、不揮発メモリ１５）は揮発性メモリ（ＲＡＭ１４）に比べてアクセス速度が遅いため、原稿の読取画像を常にハードディスク装置１６に一時保存するようにすると、ＲＡＭ１４に一時保存する場合に比べて、読取画像の保存および出力時の読み出しに掛かる時間が増えて処理速度（生産性）が低下するおそれがある。本実施形態ではこの点を考慮し、生産性を優先させる動作と、トナー種混在を判別する動作の各々について、処理速度を重視した例と、電源オフによる読取画像の消去に対する安全性（原稿の復元性）を重視した例とを説明する。
（１）生産性優先・処理速度重視
（２）トナー種混在判別・処理速度重視
（３）生産性優先・安全性重視
（４）トナー種混在判別・安全性重視
【０２４４】
処理速度重視では、原稿の読取画像をまずＲＡＭ１４に一時保存しておき、原稿の画像に消色トナーが使用されていると判断した場合に、ＲＡＭ１４に一時保存しておいた読取画像をハードディスク装置１６に移動させて保存する。原稿の画像に消色トナーが使用されていないと判断した場合は、原稿の読取画像をそのままＲＡＭ１４に一時保存しておく。
【０２４５】
安全性重視では、原稿の読取画像をまずハードディスク装置１６に一時保存しておき、原稿の画像に消色トナーが使用されていないと判断した場合に、ハードディスク装置１６に一時保存しておいた読取画像をＲＡＭ１４に移動させて保存する。原稿の画像に消色トナーが使用されていると判断した場合は、原稿の読取画像をそのままハードディスク装置１６に一時保存しておく。
【０２４６】
ここでは、上記の各動作を、第１の実施形態で使用した図５を一部変更し、読取動作と出力動作（出力処理）の概略なども追加して、図２４〜図２７に示している。これらの図に示した上記の各動作については、図５と共通するステップは説明を簡略し、変更および追加したステップを詳細に説明する。
【０２４７】
また、ハードディスク装置１６の空き容量（残容量）が少ないと、原稿の読取画像をハードディスク装置１６に保存できなくなる可能性がある。そこで、上記の各動作ではいずれも、原稿の読取動作を開始する前にハードディスク装置１６の空き容量を確認し、その空き容量が所定容量以下の場合は読取動作を禁止する（読取動作を開始しない）ようにしている。
【０２４８】
（１）生産性優先・処理速度重視
図２４は、複合機１０による消去読取モードの生産性優先および処理速度重視の動作を示す流れ図である。
【０２４９】
複合機１０では、消去読取モードの設定状態にて、スキャナ部２２に原稿がセットされ、操作部１８で出力種別（印刷／内部保存／外部転送）が選択されて開始指示（スタートボタン押下）を受けると（ステップＳ０９６）、ＣＰＵ１１はハードディスク装置１６の空き容量を確認する（ステップＳ０９７）。ハードディスク装置１６の空き容量が所定容量以下の場合は（ステップＳ０９８；Ｙｅｓ）、読取動作を禁止し（ステップＳ０９９）、本原稿に対する読み取りを行わずに処理を終了する（Ｅｎｄ）。
【０２５０】
ハードディスク装置１６の空き容量が所定容量を超えている場合は（ステップＳ０９８；Ｎｏ）、ＣＰＵ１１はスキャナ部２２を動作させて原稿の読み取りを開始する（ステップＳ１００（読取動作開始））。
【０２５１】
第１の実施形態における図５および図１０で説明したように、ＣＰＵ１１はスキャナ部２２により原稿の走査読み取りを行い、特定波長光を照射する前に読み取って取得した第１読取画像をＲＡＭ１４の第１所定領域に一時保存し（ステップＳ１０１〜ステップＳ１０３Ａ）、特定波長光を照射した後に読み取って取得した第２読取画像をＲＡＭ１４の第２所定領域に一時保存する（ステップＳ１０４〜ステップＳ１０８Ａ）。なお、ここでも図５および図１０で説明したように、原稿画像の所定の一部領域（原稿画像の１ライン目または１ライン目から所定の複数ライン分）の第１読取画像と第２読取画像を取得し、ＲＡＭ１４に一時保存する。
【０２５２】
第１読取画像と第２読取画像を比較した結果、両画像が同じであり（ステップＳ１０９；Ｙｅｓ）、原稿の画像に通常トナーが使用されていると判断した場合には（ステップＳ１１０）、ＣＰＵ１１はスキャナ部２２による原稿の読取動作を第１読取画像のみを読み取って取得し消去用光源３６を点灯させない動作に変更し、原稿の走査読み取りを継続する。そして、走査毎に順次取得した第１読取画像（ライン単位の第１読取画像）をＲＡＭ１４の第１所定領域に順次保存し、原稿画像の全領域の読み取りを完了させ、ＲＡＭ１４の第１所定領域に保存した第１読取画像（原稿の読取画像）に対する通常トナー用の出力処理を実行し（ステップＳ１２１（詳細は図１０のステップＳ２０６〜Ｓ２１０参照））、本原稿に対する読み取りおよび出力を終了する（Ｅｎｄ）。
【０２５３】
第１読取画像と第２読取画像を比較した結果、両画像が異なり（ステップＳ１０９；Ｎｏ）、原稿の画像に消色トナーが使用されていると判断した場合には（ステップＳ１１１）、ＣＰＵ１１はＲＡＭ１４の第１所定領域に一時保存している第１読取画像（原稿画像の１ライン目または１ライン目から所定の複数ライン分の第１読取画像）をハードディスク装置１６に移動し一時保存する（ステップＳ１２２）。ＲＡＭ１４においては、一時保存していた第１読取画像がハードディスク装置１６に移動されることで消去される。また、ハードディスク装置１６に一時保存した第１読取画像には、識別情報を関連付けて記憶する（詳細は図１２のステップＳ４０１参照）。
【０２５４】
なお、ＲＡＭ１４から第１読取画像を読み出してハードディスク装置１６に保存（複製保存）することにより、第１読取画像をＲＡＭ１４に残しておくようにしてもよい。
【０２５５】
続いてＣＰＵ１１は、スキャナ部２２による原稿の読取動作を第１読取画像のみを読み取って取得し消去用光源３６を点灯させて原稿の画像を消去する動作に変更し、原稿の走査読み取りを継続する。走査毎に順次取得した第１読取画像（ライン単位の第１読取画像）をハードディスク装置１６に順次保存し、原稿画像の全領域の読み取りを完了させ、ハードディスク装置１６に一時保存した第１読取画像（原稿の読取画像）に対する消色トナー用の出力処理を実行する。または、スキャナ部２２による原稿の読取動作を停止し出力動作を禁止する（ステップＳ１２３）。
【０２５６】
ステップＳ１２３の詳細は、図１２のステップＳ４０２〜Ｓ４０６およびステップＳ４０８〜Ｓ４１９で説明したように、出力処理を実行する場合は、選択された出力種別に応じて、第１読取画像を印刷する（ステップＳ４０６参照）、または、第１読取画像をハードディスク装置１６内の所定の画像保存領域（ＢＯＸなど）に保存する（ステップＳ４１２参照）、または、第１読取画像を他の複合機１０に転送する（ステップＳ４１９参照）。出力動作を禁止する場合は、第１読取画像の印刷を禁止する（ステップＳ４０９参照）、または、第１読取画像の転送を禁止する（ステップＳ４１５参照）。
【０２５７】
ＣＰＵ１１は、出力処理を完了すると、または、出力動作を禁止にすると、ハードディスク装置１６に一時保存していた第１読取画像および識別情報を消去し（ステップＳ１２４（図１２のステップＳ４０７に相当））、本原稿に対する読み取りおよび出力を終了する（Ｅｎｄ）。
【０２５８】
（２）トナー種混在判別・処理速度重視
図２５は、複合機１０による消去読取モードのトナー種混在判別および処理速度重視の動作を示す流れ図である。
【０２５９】
第１の実施形態における図９で説明したように、原稿画像における通常トナーと消色トナーの混在および各トナー領域の判断は、原稿画像の全領域を読み取って取得した第１読取画像と第２読取画像の差分画像を抽出し、これらの画像を比較することで行う。ここでは、図１４で説明したように原稿画像の全領域を読み取ってから判断するのではなく、原稿画像を一部領域読み取ってその一部領域の画像に使用されているトナー種別を判断する工程を一部領域毎に順次繰り返し、最終的に全領域を読み取る動作によって判断する。
【０２６０】
図２５におけるステップＳ０９６〜Ｓ１００は、図２４における同ステップと同じ内容であり、説明を省略する。
【０２６１】
ＣＰＵ１１は、スキャナ部２２により原稿の走査読み取りを行い、特定波長光を照射する前に読み取って取得した第１読取画像をＲＡＭ１４の第１所定領域に一時保存し（ステップＳ１０１〜ステップＳ１０３Ａ）、特定波長光を照射した後に読み取って取得した第２読取画像をＲＡＭ１４の第２所定領域に一時保存する（ステップＳ１０４〜ステップＳ１０８Ａ）。ここでは、上述したように、原稿画像の一部領域（所定の一部領域）の第１読取画像と第２読取画像を取得し、ＲＡＭ１４に一時保存する。
【０２６２】
この一部領域の第１読取画像と第２読取画像を比較した結果、両画像が同じである場合には、ＣＰＵ１１は原稿の走査読み取りを継続し、次の一部領域の第１読取画像と第２読取画像を取得してＲＡＭ１４に一時保存し、比較を行う。両画像が同じであれば、この一部領域毎の第１読取画像と第２読取画像の読み取り取得、ＲＡＭ１４への一時保存、比較を繰り返す。
【０２６３】
全ての一部領域（原稿画像の全領域）に対する第１読取画像と第２読取画像の比較を行い、同じであった場合には（ステップＳ１０９；Ｙｅｓ）、ＣＰＵ１１は原稿画像の全領域に通常トナーが使用されている判断し（ステップＳ１１０）、ＲＡＭ１４の第１所定領域に一時保存した第１読取画像（原稿の読取画像）に対する通常トナー用の出力処理を実行し（ステップＳ１３１（詳細は図１４のステップＳ５０７〜Ｓ５１０参照））、本原稿に対する読み取りおよび出力を終了する（Ｅｎｄ）。なお、この場合も図１４で説明したように、第１読取画像に代えて、第１読取画像と同一である第２読取画像を出力するようにしてもよい。
【０２６４】
一方、一部領域の第１読取画像と第２読取画像を比較した結果、両画像が異なる場合には（ステップＳ１０９；Ｎｏ）、ＣＰＵ１１は原稿の画像に消色トナーが使用されていると判断し（ステップＳ１１１）、ＲＡＭ１４の第１所定領域に一時保存している第１読取画像（これまでに取得した一部領域分の第１読取画像）をハードディスク装置１６の第１所定領域に移動し一時保存すると共に、ＲＡＭ１４の第２所定領域に一時保存している第２読取画像（これまでに取得した一部領域分の第２読取画像）をハードディスク装置１６の第２所定領域に移動し一時保存する（ステップＳ１３２）。ＲＡＭ１４においては、一時保存していた第１読取画像と第２読取画像がハードディスク装置１６に移動されることで消去される。
【０２６５】
なお、ＲＡＭ１４から第１読取画像と第２読取画像を読み出してハードディスク装置１６に保存（複製保存）することにより、第１読取画像と第２読取画像をＲＡＭ１４に残しておくようにしてもよい。
【０２６６】
ＣＰＵ１１は、原稿の走査読み取りを継続し、以降は走査毎に順次取得した第１読取画像（ライン単位の第１読取画像）をハードディスク装置１６の第１所定領域に順次保存すると共に、走査毎に順次取得した第２読取画像（ライン単位の第２読取画像）をハードディスク装置１６の第２所定領域に順次保存し、原稿画像の全領域の読み取りを完了させる。なお、原稿の画像に消色トナーが使用されていることを既に判断しているので、以降の走査読み取りで取得した第１読取画像と第２読取画像の比較は行わない。
【０２６７】
続いてＣＰＵ１１は、ハードディスク装置１６に一時保存した第１読取画像と第２読取画像の差分画像を抽出し、ハードディスク装置１６の第３所定領域に保存する（図１４のステップＳ５０５に相当）。さらに、これらの第１読取画像、第２読取画像、および差分画像に識別情報を関連付けて記憶する（図１５のステップＳ６０１に相当）。そして、ハードディスク装置１６に一時保存した第１読取画像、第２読取画像、および差分画像に対する消色トナー用の出力処理を実行する。または、出力動作を禁止する（ステップＳ１３３）。詳細には、図１５のステップＳ６０２〜Ｓ６０５およびステップＳ６０７〜Ｓ６２４で説明した出力処理の実行、または、出力動作の禁止を行う。
【０２６８】
ＣＰＵ１１は、出力処理を完了すると、または、出力動作を禁止にすると、ハードディスク装置１６に一時保存していた第１読取画像、第２読取画像、差分画像、および識別情報を消去し（ステップＳ１３４（図１５のステップＳ６０６に相当））、本原稿に対する読み取りおよび出力を終了する（Ｅｎｄ）。
【０２６９】
（３）生産性優先・安全性重視
図２６は、複合機１０による消去読取モードの生産性優先および安全性重視の動作を示す流れ図である。
【０２７０】
図２６におけるステップＳ０９６〜Ｓ１００は、図２４における同ステップと同じ内容であり、説明を省略する。
【０２７１】
ＣＰＵ１１は、スキャナ部２２により原稿の走査読み取りを行い、特定波長光を照射する前に読み取って取得した第１読取画像をハードディスク装置１６の第１所定領域に一時保存し（ステップＳ１０１〜ステップＳ１０３Ｂ）、特定波長光を照射した後に読み取って取得した第２読取画像をハードディスク装置１６の第２所定領域に一時保存する（ステップＳ１０４〜ステップＳ１０８Ｂ）。
【０２７２】
処理速度重視の図２４では、取得した第１読取画像と第２読取画像を、まずＲＡＭ１４に保存するようにしていたが、安全性重視の場合は、取得した第１読取画像と第２読取画像を、まずハードディスク装置１６に保存する。またこの場合も、原稿画像の所定の一部領域（原稿画像の１ライン目または１ライン目から所定の複数ライン分）の第１読取画像と第２読取画像を取得し、ハードディスク装置１６に一時保存する。
【０２７３】
第１読取画像と第２読取画像を比較した結果、両画像が同じであり（ステップＳ１０９；Ｙｅｓ）、原稿の画像に通常トナーが使用されていると判断した場合には（ステップＳ１１０）、ＣＰＵ１１はハードディスク装置１６の第１所定領域に一時保存している第１読取画像（原稿画像の１ライン目または１ライン目から所定の複数ライン分の第１読取画像）をＲＡＭ１４に移動し一時保存する（ステップＳ１２０）。ハードディスク装置１６においては、一時保存していた第１読取画像がＲＡＭ１４に移動されることで消去される。
【０２７４】
なお、ハードディスク装置１６から第１読取画像を読み出してＲＡＭ１４に保存（複製保存）することにより、第１読取画像をハードディスク装置１６に残しておくようにしてもよい。ただし、ハードディスク装置１６の記憶容量を増やす上では、ハードディスク装置１６から第１読取画像をＲＡＭ１４へ移動することが好ましい。
【０２７５】
続いてＣＰＵ１１は、スキャナ部２２による原稿の読取動作を第１読取画像のみを読み取って取得し消去用光源３６を点灯させない動作に変更し、原稿の走査読み取りを継続する。そして、走査毎に順次取得した第１読取画像（ライン単位の第１読取画像）をＲＡＭ１４に順次保存し、原稿画像の全領域の読み取りを完了させ、ＲＡＭ１４に一時保存した第１読取画像（原稿の読取画像）に対する通常トナー用の出力処理を実行し（ステップＳ１２１（詳細は図１０のステップＳ２０６〜Ｓ２１０参照））、本原稿に対する読み取りおよび出力を終了する（Ｅｎｄ）。
【０２７６】
第１読取画像と第２読取画像を比較した結果、両画像が異なり（ステップＳ１０９；Ｎｏ）、原稿の画像に消色トナーが使用されていると判断した場合には（ステップＳ１１１）、ＣＰＵ１１は、ハードディスク装置１６に一時保存した第１読取画像に、識別情報を関連付けて記憶する（図１２のステップＳ４０１に相当）。
【０２７７】
続いてＣＰＵ１１は、スキャナ部２２による原稿の読取動作を第１読取画像のみを読み取って取得し消去用光源３６を点灯させて原稿の画像を消去する動作に変更し、原稿の走査読み取りを継続する。走査毎に順次取得した第１読取画像（ライン単位の第１読取画像）をハードディスク装置１６の第１所定領域に順次保存し、原稿画像の全領域の読み取りを完了させ、不揮発メモリ１５の第１所定領域に一時保存した第１読取画像（原稿の読取画像）に対する消色トナー用の出力処理を実行する。または、スキャナ部２２による原稿の読取動作を停止し出力動作を禁止する（ステップＳ１２３）。ステップＳ１２３の詳細は、図２４における同ステップと同じ内容である（詳細は図１２のステップＳ４０２〜Ｓ４０６およびステップＳ４０８〜Ｓ４１９参照）。
【０２７８】
ＣＰＵ１１は、出力処理を完了すると、または、出力動作を禁止にすると、ハードディスク装置１６に一時保存していた第１読取画像および識別情報を消去し（ステップＳ１２４（図１２のステップＳ４０７に相当））、本原稿に対する読み取りおよび出力を終了する（Ｅｎｄ）。
【０２７９】
（４）トナー種混在判別・安全性重視
図２７は、複合機１０による消去読取モードのトナー種混在判別および安全性重視の動作を示す流れ図である。
【０２８０】
図２７におけるステップＳ０９６〜Ｓ１００は、図２４における同ステップと同じ内容であり、説明を省略する。
【０２８１】
ＣＰＵ１１は、スキャナ部２２により原稿の走査読み取りを行い、特定波長光を照射する前に読み取って取得した第１読取画像をハードディスク装置１６の第１所定領域に一時保存し（ステップＳ１０１〜ステップＳ１０３Ｂ）、特定波長光を照射した後に読み取って取得した第２読取画像をハードディスク装置１６の第２所定領域に一時保存する（ステップＳ１０４〜ステップＳ１０８Ｂ）。
【０２８２】
処理速度重視の図２５では、取得した第１読取画像と第２読取画像を、まずＲＡＭ１４に保存するようにしていたが、安全性重視の場合は、取得した第１読取画像と第２読取画像を、まずハードディスク装置１６にに保存する。またこの場合も、原稿画像の一部領域（所定の一部領域）の第１読取画像と第２読取画像を取得し、ハードディスク装置１６に一時保存する。
【０２８３】
この一部領域の第１読取画像と第２読取画像を比較した結果、両画像が同じである場合には、ＣＰＵ１１は原稿の走査読み取りを継続し、次の一部領域の第１読取画像と第２読取画像を取得してハードディスク装置１６に一時保存し、比較を行う。両画像が同じであれば、この一部領域毎の第１読取画像と第２読取画像の読み取り取得、ハードディスク装置１６への一時保存、比較を繰り返す。
【０２８４】
全ての一部領域（原稿画像の全領域）に対する第１読取画像と第２読取画像の比較を行い、同じであった場合には（ステップＳ１０９；Ｙｅｓ）、ＣＰＵ１１は原稿画像の全領域に通常トナーが使用されている判断し（ステップＳ１１０）、ハードディスク装置１６の第１所定領域に一時保存している第１読取画像（原稿画像の全領域の第１読取画像）をＲＡＭ１４に移動し一時保存する（ステップＳ１３０）。ハードディスク装置１６においては、一時保存していた第１読取画像がＲＡＭ１４に移動されることで消去される。
【０２８５】
なお、不揮発メモリ１５から第１読取画像を読み出してＲＡＭ１４に保存（複製保存）することにより、第１読取画像をハードディスク装置１６に残しておくようにしてもよい。ただし、ハードディスク装置１６の記憶容量を増やす上では、ハードディスク装置１６から第１読取画像をＲＡＭ１４へ移動することが好ましい。また、第１読取画像に代えて、第１読取画像と同一である第２読取画像をハードディスク装置１６からＲＡＭ１４に移動し保存（または複製保存）するようにしてもよく、第１読取画像と第２読取画像を共にハードディスク装置１６からＲＡＭ１４に移動し保存（または複製保存）するようにしてもよい。また、第１読取画像と第２読取画像のうちの一方をハードディスク装置１６からＲＡＭ１４に移動する場合、ハードディスク装置１６の記憶容量を増やす上では、ＲＡＭ１４に移動せずにハードディスク装置１６に残っている他方の読取画像をハードディスク装置１６から消去することが好ましい。
【０２８６】
ＣＰＵ１１は、ＲＡＭ１４に一時保存した第１読取画像（または第２読取画像）に対する通常トナー用の出力処理を実行し（ステップＳ１３１（詳細は図１４のステップＳ５０７〜Ｓ５１０参照））、本原稿に対する読み取りおよび出力を終了する（Ｅｎｄ）。
【０２８７】
一方、一部領域の第１読取画像と第２読取画像を比較した結果、両画像が異なる場合には（ステップＳ１０９；Ｎｏ）、ＣＰＵ１１は原稿の画像に消色トナーが使用されていると判断する（ステップＳ１１１）。さらに、原稿の走査読み取りを継続し、以降は走査毎に順次取得した第１読取画像（ライン単位の第１読取画像）をハードディスク装置１６の第１所定領域に順次保存すると共に、走査毎に順次取得した第２読取画像（ライン単位の第２読取画像）をハードディスク装置１６の第２所定領域に順次保存し、原稿画像の全領域の読み取りを完了させる。なお、原稿の画像に消色トナーが使用されていることを既に判断しているので、以降の走査読み取りで取得した第１読取画像と第２読取画像の比較は行わない。
【０２８８】
そして、図２５と同様にステップＳ１３３とステップＳ１３４を行い、本原稿に対する読み取りおよび出力を終了する（Ｅｎｄ）。
【０２８９】
このように、本実施形態の消去読取モードによる原稿の読み取りでは、原稿の読取画像をハードディスク装置１６に一時保存することで、複合機１０に予期しない電源オフが発生しても、そのハードディスク装置１６に保存されている読取画像は消失せずに保全される。これにより、消去読取モードによる読み取りで画像が消去された原稿に対し、その読取画像の出力完了前に複合機１０に予期しない電源オフが発生しても、複合機１０を再起動し、消失せずにハードディスク装置１６に保存（保全）されている読取画像を使用して、元の原稿と同じ原稿を復元（再作成）することができる。
【０２９０】
また、図２４と図２５に示したように、原稿の読取画像（第１読取画像および第２読取画像）をまずＲＡＭ１４に保存しておき、原稿の画像に消色トナーが使用されていると判断（判明）した時点で、ＲＡＭ１４に保存されておいた読取画像（図２４では第１読取画像のみ／図２５では第１読取画像および第２読取画像）をハードディスク装置１６に移動させて保存する場合は、その判断時点まではハードディスク装置１６よりもアクセス速度が早いＲＡＭ１４に読取画像を保存するので、処理速度の低下が抑えられる。また、最終的に原稿の画像に消色トナーが使用されていないと判断した場合は、ＲＡＭ１４に保存されている読取画像にアクセスして出力を行うことになり、この場合も処理速度の低下が抑えられる。
【０２９１】
また、図２６と図２７に示したように、原稿の読取画像（第１読取画像および第２読取画像）を最初からハードディスク装置１６に保存する場合は、複合機１０の予期しない電源オフよる読取画像の消失に対する安全性（原稿の復元性）が高められる。また、原稿の画像に消色トナーが使用されていないと判断（判明）した時点で、ハードディスク装置１６に保存されている読取画像（第１読取画像と第２読取画像のうちの少なくとも一方）をＲＡＭ１４に移動して保存するので、ハードディスク装置１６に保存されている読取画像にアクセスして出力を行う場合に比べて、処理速度の低下が抑えられる。
【０２９２】
また、図２５と図２７に示したように、トナー種混在を判別する動作で複合機１０に予期しない電源オフが発生しても、第１読取画像と第２読取画像を共にハードディスク装置１６に保存しているので、両読取画像を消失から保護することができる。複合機１０の再起動後は、それらの第１読取画像と第２読取画像を使用して、通常トナーと消色トナーの画像領域が混在している元の原稿と同じ原稿を復元（再作成）することができる。
【０２９３】
また、原稿の読取動作を開始する前にハードディスク装置１６の空き容量を確認し、その空き容量が所定容量以下の場合は読取動作を禁止することで、原稿の読取画像をハードディスク装置１６の空き容量不足でハードディスク装置１６に保存できないといった事態を回避することができる。
【０２９４】
また、本実施形態の消去読取モードによる原稿のコピーでは、消色トナーが使用されている原稿に対しては、その原稿を複写した印刷物が複合機１０の排紙トレイ（排出部）に出力（排出）されたことをセンサなどの検知部で検知してから、ハードディスク装置１６に一時保存している読取画像を消去するようにしてもよい。この場合は、印刷物が排紙トレイへの排出経路でジャムになり破損や破断しても、消去されずにハードディスク装置１６に残っている読取画像を使用して再出力することができる。また、ジャムの発生で再出力を行った場合も、その印刷物が排紙トレイに正常に出力されたことを検知すると、ハードディスク装置１６に一時保存されている読取画像は消去されるので、その印刷物は一部のみの出力に制限されることになる。
【０２９５】
以上、本発明の実施形態を図面によって説明してきたが、具体的な構成は実施形態に示したものに限られるものではなく、本発明の要旨を逸脱しない範囲における変更や追加があっても本発明に含まれる。
【０２９６】
読取用光源による照明光と消去用光源による特定波長光の照射タイミングは、図６で説明したような交互に照射するものに限らない。たとえば、図２や図１９に示したように、ラインイメージセンサ（読取部）によるライン状の読取範囲へ向けて照明光と特定波長光とを照射できる構成であれば、同一ラインに対する照明光と特定波長光の照射期間が一部重複したり、照明光を連続照射している間に特定波長光を間欠的に照射したりするなどしてもよい。
【０２９７】
消色トナーが使用されている原稿の複写では、ユーザ設定にかかわらず強制的に印刷部数を１部に制限して出力するようにしてもよい。
【０２９８】
消色トナーが使用されている原稿の複写では、複写した記録紙に消色トナーでダミー画像を印刷する例を説明したが、端末装置から依頼する消色トナー指定（選択）のドキュメントの印刷においてこのダミー画像を印刷するか否かが選択できるようにしてもよい。
【０２９９】
消色可能な印刷剤は、電子写真方式の画像処理装置（複合機）を例に消色トナーとした場合で説明したが、インクジェット方式のプリンタで使用される、特定波長光の照射で消色（無色化）する消色インクなどでもよい。
【０３００】
また、実施形態で説明した複合機１０におけるスキャナ部２２と、読取部（ラインイメージセンサ３５など）により読み取った原稿の第１読取画像と第２読取画像とに基づいて原稿の画像に消色トナーが使用されているか否かを判断し、その判断結果を出力する制御部とを備えた画像読取装置を構成するようにしてもよい。
【０３０１】
本構成の画像読取装置では、原稿を読み取る際に原稿の画像に消色トナーが使用されているか否かを正確に判断（判別）し、その正確な判断結果を出力することができる。たとえば、画像読取装置から読取画像とその判断結果を受けたプリンタ機やファクシミリ機、プリントサーバなどの画像出力装置が判断結果に応じて出力動作を変更する、あるいは、判断結果の表示をユーザが確認して原稿の読取動作を変更したり、原稿の読取画像の出力動作を変更したりすることもできる。たとえば、原稿の画像に消色トナーが使用されていると判断した場合は読み取りを手動停止したり、原稿の読取画像の出力動作を手動変更したりすることもできる。たとえば手動で、プリンタ機、ファクシミリ機、外部記憶装置、端末装置やサーバなどへの読取画像の出力を停止したり制限したりするなどの変更を行うことができる。これにより、消色トナーで印刷されている原稿内の情報の漏洩を抑制することも可能となる。
【０３０２】
原稿を読み取って取得した第１読取画像と第２読取画像、これらの差分画像、および識別情報の一時保存には、ＲＡＭ１４やハードディスク装置１６を使用する他に不揮発メモリ１５を使用してもよい。
【０３０３】
また、第１の実施形態では上記の読取画像や差分画像の一時保存用として、ＲＡＭ１４（揮発性メモリ）を使用しているが、ＲＡＭ１４と不揮発性メモリ（不揮発メモリ１５／ハードディスク装置１６の仮想メモリ領域など）を併用するようにしてもよい。このＲＡＭ１４と不揮発性メモリの併用では、ＲＡＭ１４の容量の使用状況に応じて、一時保存先をＲＡＭ１４から不揮発性メモリに切り替えたり、不揮発性メモリからＲＡＭ１４に切り替えたりするようにしてもよい。
【０３０４】
また、本発明に係る画像処理装置は、実施形態で説明した複合機に限らず、複写機、ファクシミリ機、スキャナ機なども対象にすることができる。
【符号の説明】
【０３０５】
１０…複合機
１１…ＣＰＵ
１２…バス
１３…ＲＯＭ
１４…ＲＡＭ
１５…不揮発メモリ
１６…ハードディスク装置
１７…表示部
１８…操作部
１９…ファクシミリ通信部
２０…ネットワーク通信部
２１…画像処理部
２２（２２ａ、２２ｂ、２２ｃ、２２ｄ）…スキャナ部
２３…プリンタ部
２４…接続部
２５…通常トナー残量検知部
２６…消色トナー残量検知部
３１…プラテンガラス
３２ａ、３２ｂ、３２ｃ…読取装置
３３…移動機構
３４…読取用光源
３５…ラインイメージセンサ
３６…消去用光源
３７…反射板
３８…保持部材
３９…ミラー
４１…原稿給紙トレイ
４２…搬送経路
４３…搬送機構
４３ａ…送り出しローラ
４３ｂ…搬送ローラ
４３ｃ…排出ローラ
４３ｄ…第１読取ローラ
４３ｅ…第２読取ローラ
４４…排紙トレイ
４５…第１読取部
４６…消去用光源
４７…第２読取部
４８…スリット
５０…ダミー画像
６０…読取モード設定画面
６１…通常読取モード選択ボタン
６２…消去読取モード選択ボタン
６３…確定ボタン
７０…プラテンカバーロック設定画面
７１…ロック制御ＯＦＦ選択ボタン７１
７２…ロック制御ＯＮ１選択ボタン７２
７３…ロック制御ＯＮ２選択ボタン７３
７４…確定ボタン
Ｉｍ…原稿画像
Ｉ１…第１読取画像
Ｉ２…第２読取画像
Ｉ３…差分画像
ＩＲ…特定波長光
Ｌａ…照明光
Ｌｂ…反射光
Ｍ…原稿
Ｐ…記録紙
Ｓ…読取範囲
Ｓ１…読取範囲（第１読取範囲）
Ｓ２…読取範囲（第２読取範囲）
【図１】
0005531837.tif 000002
【図２】
0005531837.tif 000003
【図３】
0005531837.tif 000004
【図４】
0005531837.tif 000005
【図５】
0005531837.tif 000006
【図６】
0005531837.tif 000007
【図７】
0005531837.tif 000008
【図８】
0005531837.tif 000009
【図９】
0005531837.tif 000010
【図１０】
0005531837.tif 000011
【図１１】
0005531837.tif 000012
【図１２】
0005531837.tif 000013
【図１３】
0005531837.tif 000014
【図１４】
0005531837.tif 000015
【図１５】
0005531837.tif 000016
【図１６】
0005531837.tif 000017
【図１７】
0005531837.tif 000018
【図１８】
0005531837.tif 000019
【図１９】
0005531837.tif 000020
【図２０】
0005531837.tif 000021
【図２１】
0005531837.tif 000022
【図２２】
0005531837.tif 000023
【図２３】
0005531837.tif 000024
【図２４】
0005531837.tif 000025
【図２５】
0005531837.tif 000026
【図２６】
0005531837.tif 000027
【図２７】
0005531837.tif 000028